(57)【要約】  液体収容体を格納するケースを十分な強度を確保して筐体に固定した記録装置を提供する。  プリンターは、インクを噴射して用紙に記録を行う液体噴射ヘッドと、液体噴射ヘッドが収容されている筐体と、インクが収容されている液体収容体と、液体収容体を格納するケース１４１と、を備えている。こうしたプリンターでは、樹脂製の筐体の壁面およびケースの樹脂で形成された壁面の少なくとも一方に金属部材が取り付けられており、金属部材は、筐体におけるケースの取り付け部位の強度を補強する。
2015136915.tif 000002
【特許請求の範囲】
【請求項１】
液体を噴射して記録媒体に記録を行う記録部と、
前記記録部が収容されている筐体と、
前記記録部に供給される液体が収容されている液体収容体と、
前記液体収容体を格納するケースと、を備え、
前記筐体の樹脂で形成された壁面および前記ケースの樹脂で形成された壁面の少なくとも一方には金属部材が取り付けられており、
前記金属部材は、前記筐体における前記ケースの取り付け部位の強度を補強する
ことを特徴とする記録装置。
【請求項２】
前記筐体の樹脂で形成された壁面に第１の金属部材が取り付けられている一方で、前記ケースの樹脂で形成された壁面に第２の金属部材が取り付けられており、
前記第１の金属部材と前記第２の金属部材とが締結されることにより、前記筐体および前記ケースの少なくとも一方が挟まれた状態で前記ケースは前記筐体に装着されている
請求項１に記載の記録装置。
【請求項３】
前記第１の金属部材は前記筐体の内面に取り付けられ、前記第２の金属部材は前記ケースの外面に取り付けられている
請求項２に記載の記録装置。
【請求項４】
前記第１の金属部材は、前記筐体の樹脂で形成された壁面に設けられた取り付け孔に圧入されている
請求項２または３に記載の記録装置。
【請求項５】
前記第１の金属部材には縦方向の長さと横方向の長さが異なる長孔が形成されている一方で、前記第２の金属部材には前記長孔に対応した形状を有し前記長孔に挿通される複数の突出部が形成されており、
前記筐体に複数取り付けられている前記第１の金属部材のうちの少なくとも一つは他の第１の金属部材と前記長孔の延びている向きが異なるように他の第１の金属部材と異なる向きに取り付けられており、
前記筐体に複数取り付けられた第１の金属部材の長孔に、第２の金属部材に設けられた複数の突出部がそれぞれ挿通されている
請求項２〜４のいずれか一項に記載の記録装置。
【請求項６】
前記ケースの内面には、前記液体収容体を着脱可能な液体収容体保持部が取り付けられており、
前記ケースには、前記液体収容体保持部と重ならない部分に切り欠き孔が形成されており、
前記ケースの外面には、前記第２の金属部材が取り付けられており、
前記第１の金属部材及び前記第２の金属部材は、それぞれに形成されているねじ孔が前記切り欠き孔と重なるように配設されており、前記第２の金属部材側から各ねじ孔に挿通されたねじによって前記第１の金属部材と前記第２の金属部材とが締結されている
請求項２〜５のいずれか一項に記載の記録装置。
【請求項７】
前記第２の金属部材は前記ケースの外面に取り付けられており、同第２の金属部材の下端の少なくとも一部は、前記筐体に上方から差し込まれて前記筐体により下方から支持されている
請求項２〜６のいずれか一項に記載の記録装置。
【請求項８】
前記筐体にはスキャナーが収容されたスキャナー部が設けられており、
前記ケースの外面に取り付けられている前記第２の金属部材と前記スキャナー部とは対向しているものの、その間には間隙が設けられている
請求項２〜７のいずれか一項に記載の記録装置。
【発明の詳細な説明】
【技術分野】
【０００１】
本発明は、液体を記録部から噴射して記録を行う記録装置に関する。
【背景技術】
【０００２】
従来から、記録装置の一種として、液体噴射ヘッド（記録部）から用紙等の記録媒体に対してインク（液体）を噴射することにより印刷（記録）を行うインクジェット式プリンターが知られている。このようなプリンターにおいて、比較的大量の印刷を行う場合であっても連続的に安定して液体噴射ヘッドにインクを供給できるようにするため、インクの収容容量が比較的大きなインクバッグ（液体収容体）を備える構成が提案されている（例えば、特許文献１参照）。【０００３】
特許文献１に記載の記録装置では、筐体の外部に設けられたインクバッグから筐体の内部に設けられた液体噴射ヘッドにインク供給チューブを通じてインクを供給している。この記録装置では、筐体とインクバッグとが別々に設けられており、プリンターの移動時にはこれらを別々に移動させる必要がある。この点、樹脂製のケースを筐体に装着し、このケースにインクバッグを格納するようにすれば、プリンターの移動時に筐体とインクバッグとを一緒に移動させることができる。
【先行技術文献】
【特許文献】
【０００４】
【特許文献１】特開２００９−２０２３４６号公報
【発明の概要】
【発明が解決しようとする課題】
【０００５】
ところで、インクバッグは収容容量が大きく重たい。このため、樹脂製の筐体に樹脂製のケースをねじ等によって締結する方法では、強度が不足するおそれがある。
なお、上記問題は、インクジェット式プリンターに限らず、筐体の外部に設けられた液体収容体から筐体の内部に設けられた記録部に供給された液体を当該記録部から記録媒体に噴射して記録を行う記録装置において概ね共通したものとなっている。【０００６】
本発明は、上記問題点に鑑みてなされたものであり、その目的は、液体収容体を格納するケースを十分な強度を確保して筐体に固定した記録装置を提供することにある。
【課題を解決するための手段】
【０００７】
上記目的を達成するための記録装置は、液体を噴射して記録媒体に記録を行う記録部と、記録部が収容されている筐体と、記録部に供給される液体が収容されている液体収容体と、液体収容体を格納するケースと、を備え、筐体の樹脂で形成された壁面およびケースの樹脂で形成された壁面の少なくとも一方には金属部材が取り付けられており、金属部材は、筐体におけるケースの取り付け部位の強度を補強することを特徴とする。【０００８】
上記構成によれば、金属部材により筐体におけるケースの取り付け部位の強度を補強するため、筐体とケースの取り付け強度を直接筐体にケースを取り付ける場合に比べて向上することが可能である。【０００９】
また、上記記録装置では、筐体の樹脂で形成された壁面に第１の金属部材が取り付けられている一方で、ケースの樹脂で形成された壁面に第２の金属部材が取り付けられており、第１の金属部材と第２の金属部材とが締結されることにより、筐体およびケースの少なくとも一方が挟まれた状態で前記ケースは筐体に装着されていることが望ましい。【００１０】
上記構成によれば、筐体の壁面に第１の金属部材部材を取り付け、ケースの壁面に第２の板金部材を取り付けた上で、第１の金属部材部材と第２の金属部材部材とを締結することによって筐体およびケースの少なくとも一方を挟み込んで筐体とケースとを固定している。そのため、筐体とケースとを直接締結する場合と比べて、板金部材によって補強されている分だけ筐体とケースとを固定している部分の強度が高くなる。また、板金部材を介して筐体とケースとが締結されているため、筐体とケースとを直接締結する場合と比べて、ねじ等の締結部材を介して伝わる荷重が板金部材を介して筐体及びケースの広い範囲に分散されるようになる。【００１１】
すなわち、上記構成によれば、液体収容体を格納するケースを十分な強度を確保して筐体に固定した記録装置を実現することができる。
また、上記記録装置において、第１の金属部材部材を筐体の内面に取り付け、第２の金属部材部材をケースの外面に取り付けるようにすれば、筐体の壁面が第１の金属部材部材と第２の金属部材部材とに挟まれた状態でケースと筐体とが固定されていることになる。【００１２】
また、上記記録装置では、第１の金属部材部材は、筐体の樹脂で形成された壁面に設けられた取り付け孔に圧入されていることが望ましい。
上記構成によれば、第１の金属部材部材を筐体の取り付け孔に圧入することによって容易に組み付けることができる。【００１３】
また、上記記録装置では、第１の金属部材部材には縦方向の長さと横方向の長さが異なる長孔が形成されている一方で、第２の金属部材部材には長孔に対応した形状を有し長孔に挿通される複数の突出部が形成されており、筐体に複数取り付けられている第１の金属部材部材のうちの少なくとも一つは他の第１の金属部材部材と長孔の延びている向きが異なるように他の第１の板金部材と異なる向きに取り付けられており、筐体に複数取り付けられた第１の金属部材部材の長孔に、第２の金属部材部材に設けられた複数の突出部がそれぞれ挿通されていることが望ましい。【００１４】
第１の金属部材部材が全て同じ向きに取り付けられている場合には、各板金部材に形成された長孔の延びる方向が全て同じになるため、第２の金属部材部材の複数の突出部をこれら長孔にそれぞれ挿通して組み付けた状態であっても突出部が長孔内でスライドして、ケースと筐体との相対位置が変化するおそれがある。【００１５】
上記構成によれば、第１の金属部材部材のうちの少なくとも一つが他の第１の金属部材部材と異なる向きで取り付けられているため、長孔の延びる方向が全て同じにはならなくなる。このため、これらの長孔に突出部を挿通すれば、少なくとも二つの方向の位置決めを行うことができるようになるため、ケースと筐体との位置ずれを抑制して、より正確に位置合わせを行うことができるようになる。【００１６】
また、上記記録装置では、ケースの内面には、液体収容体を着脱可能な液体収容体保持部が取り付けられており、ケースには、液体収容体保持部と重ならない部分に切り欠き孔が形成されており、ケースの外面には、第２の金属部材部材が取り付けられており、第１の板金部材及び第２の金属部材部材は、それぞれに形成されているねじ孔が切り欠き孔と重なるように配設されており、第２の金属部材部材側から各ねじ孔に挿通されたねじによって第１の板金部材と第２の金属部材部材とが締結されていることが望ましい。【００１７】
上記構成によれば、ケースと筐体とを締結しているねじの頭部はケースに設けられた切り欠き孔を通じて露出した状態になっている。このため、ケースに取り付けられた液体収容体保持部を取り外さなくても、ケースの内部からねじを締めたり緩めたりすることができる。このため、第１の金属部材部材と第２の金属部材部材との締結や取り外しを容易に行うことができるようになる。【００１８】
また、上記記録装置では、第２の金属部材部材はケースの外面に取り付けられており、同第２の板金部材の下端の少なくとも一部は、筐体に上方から差し込まれて筐体により下方から支持されていることが望ましい。【００１９】
上記構成によれば、ケースに取り付けられた第２の金属部材部材の下端の少なくとも一部が筐体に下方から支持されるため、液体収容体を格納した重たいケースをより確実に筐体に固定することができるようになる。【００２０】
また、上記記録装置では、筐体にはスキャナーが収容されたスキャナー部が設けられており、ケースの外面に取り付けられている第２の金属部材部材とスキャナー部とは対向しているものの、その間には間隙が設けられていることが望ましい。【００２１】
第２の金属部材部材がスキャナー部の壁面に当接していると、ケースの内側から第２の金属部材部材とケースとをねじによって締結するときに第２の金属部材部材を貫通したねじがスキャナー部の壁面と干渉してしまう。これに対して、スキャナー部の壁面に逃がし孔を設けてねじがスキャナー部の壁面と干渉しないようにすると、この逃がし孔を通じてスキャナー部の内部に埃が入り込むおそれがある。【００２２】
上記構成によれば、第２の金属部材部材とスキャナー部との間に間隙が設けられているため、ケースと第２の金属部材部材とをねじによって締結しても、ねじの先端がスキャナー部の壁面と干渉しにくくなる。このため、スキャナー部の壁面に逃がし孔を設ける必要がなく、スキャナー部の内部に埃が入り込むことを抑制できる。
【図面の簡単な説明】
【００２３】
【図１】第１の実施形態の記録装置の斜視図。
【図２】蓋体を開けた状態の第１の液体収容ユニットの斜視図。
【図３】蓋体及びカバーが取り外された状態の第１の液体収容ユニットの斜視図。
【図４】第１の液体収容ユニットを回動させた状態を示す記録装置の斜視図。
【図５】筐体を構成するハウジングミドルの斜視図。
【図６】ハウジングミドルに設けられた取り付け孔の拡大図。
【図７】（ａ）は内板金の上面図、（ｂ）は内板金の側面図。
【図８】（ａ）〜（ｆ）はハウジングミドルへの内板金の取り付け態様の一例を示す図。
【図９】内板金が取り付けられたハウジングミドルの左側面図。
【図１０】第１の液体収容ユニットに取り付けられる外板金の斜視図。
【図１１】内板金と外板金とが締結されるときの状態を示すハウジングミドルの左側面図。
【図１２】蓋体及びカバーが取り外された状態の第１の液体収容ユニットの正面図。
【図１３】図１２の１３−１３線に沿った断面を模式的に示す図。
【図１４】図１２の１４−１４線に沿った断面を模式的に示す図。
【図１５】記録装置を上方からみたときのハウジングミドルと第１の液体収容ユニットの状態を模式的に示す図。
【図１６】図１２の１６−１６線に沿った断面図。
【図１７】蓋体及びカバーが取り外された状態の第２の液体収容ユニットの正面図。
【図１８】ハウジングミドルの斜視図。
【図１９】カバー部材が取り付けられたハウジングミドルの斜視図。
【図２０】第２の液体収容ユニットに取り付けられる外板金の斜視図。
【図２１】内板金と外板金とが締結されるときの状態を示すハウジングミドルの左側面図。
【図２２】図１７の２２−２２線に沿った断面図。
【図２３】記録装置の上面図。
【図２４】記録装置の背面を示す記録装置の斜視図。
【図２５】記録装置の左側面図。
【図２６】外板金が取り付けられた第１の液体収容ユニットの斜視図。
【図２７】第２の実施形態の記録装置のハウジングミドルの右側面図。
【図２８】第２の実施形態の記録装置の第１の液体収容ユニットに取り付けられる外板金の斜視図。
【図２９】第２の実施形態の記録装置において内板金と外板金とが締結されるときの状態を示すハウジングミドルの右側面図。
【図３０】第２の実施形態の記録装置の、蓋体及びカバーが取り外された状態の第１の液体収容ユニットの正面図。
【図３１】図３０の３１−３１線に沿った断面を模式的に示す図。
【図３２】図３０の３２−３２線に沿った断面図。
【図３３】第２の実施形態の記録装置のハウジングミドルの左側面図。
【図３４】第２の実施形態の記録装置において内板金と外板金とが締結されるときの状態を示すハウジングミドルの左側面図。
【図３５】第２の実施形態の記録装置の、蓋体及びカバーが取り外された状態の第２の液体収容ユニットの正面図。
【図３６】他の例の記録装置を上方からみたときの記録装置の模式図。
【発明を実施するための形態】
【００２４】
（第１の実施形態）
以下、記録装置の第１の実施形態について図１〜図２６を参照して説明する。なお、本実施形態は、記録装置をインクジェット式プリンター（以下、単に「プリンター」という。）に具体化した例を示している。
【００２５】
図１に示すように、プリンターは、液体の一例であるインクを噴射することによって記録媒体の一例である用紙Ｐに記録を行う記録ユニット１００と、記録ユニット１００にインクを供給する２つの液体収容ユニット１４０，１９０とを備えている。
【００２６】
記録ユニット１００には樹脂製の筐体１０１が設けられ、筐体１０１にはインクを噴射して用紙Ｐに記録を行う記録部の一例である液体噴射ヘッド１０２や、液体噴射ヘッド１０２を支持するキャリッジ１０３が収容されている。また、筐体１０１には、ユーザーがプリンターを操作するための操作パネル１０４が設けられている。
【００２７】
なお、以下では、この操作パネル１０４におけるモニターやボタン等の表記が向けられている方向をプリンターや筐体１０１の正面とする。
また、図１には、プリンターの奥行き方向及び高さ方向、並びにプリンターの奥行き方向及び高さ方向と直交する方向である幅方向を矢印でそれぞれ示している。
【００２８】
キャリッジ１０３は、筐体１０１の内部においてプリンターの幅方向に往復移動可能であり、キャリッジ１０３の移動に伴って液体噴射ヘッド１０２がプリンターの幅方向に往復移動しつつインクを噴射することによって用紙Ｐに記録（印刷）を行う。
【００２９】
また、筐体１０１の正面には、筐体１０１の内部において記録された用紙Ｐを筐体１０１の外部に排出する矩形状の排出口１０５が設けられている。排出口１０５から排紙された用紙Ｐは排紙トレイ１０６の上に載置される。また、筐体１０１の正面における排紙トレイ１０６の下方には、上下二段の給紙カセット１０７が着脱自在に装着されている。これら給紙カセット１０７には、複数枚の用紙Ｐを積層した状態で収容することができる。
【００３０】
また、記録ユニットの筐体１０１の上部には、所定の読みとり位置にセットされた原稿に記録されている画像を読みとるスキャナーが収容されたスキャナー部１０８が設けられている。
【００３１】
第１の液体収容ユニット１４０は、筐体１０１の右側面に取り付けられている。また、第２の液体収容ユニット１９０は、筐体１０１の左側面に取り付けられている。
図１及び図２に示すように、第１の液体収容ユニット１４０は、樹脂製のケース１４１と、同ケース１４１に格納された複数の液体収容体１５０とを有している。ケース１４１は、ケース１４１の底を形成する有底箱状の底形成部材１４２と、底形成部材１４２における筐体１０１と対向する側壁の上端に連結される側壁形成部材１４３と、底形成部材１４２の上端に回動可能に連結される蓋体１４４とによって構成されている。蓋体１４４は側壁形成部材１４３の上端と当接、離間することによりケース１４１を開閉する。なお、ケース１４１は、略直方体状に形成されている。
【００３２】
図２に示すように、ケース１４１に格納された液体収容体１５０は、カラーインクが収容された可撓性材料からなるインクバッグ１５１と、インクバッグ１５１の上端部に固定された矩形環状の取手部１５２とを備えている。第１の液体収容ユニット１４０には、液体収容体１５０として、プリンターの奥行き方向の手前側から順に、第１の液体収容体１５０Ａ、第２の液体収容体１５０Ｂ、及び第３の液体収容体１５０Ｃが取り付けられている。第１の液体収容体１５０Ａには例えばイエローインクが収容され、第２の液体収容体１５０Ｂには例えばマゼンダインクが収容され、第３の液体収容体１５０Ｃには例えばシアンインクが収容されている。
【００３３】
図３に示すように、ケース１４１の内側における側壁形成部材１４３の壁面には、液体収容体１５０が取り付けられる複数のステー１５３が設けられている。このステー１５３には、液体収容体１５０の取手部１５２が嵌め込まれることで液体収容体１５０が着脱可能に取り付けられる。すなわち、ステー１５３は液体収容体１５０を保持する液体収容体保持部として機能する。また、各ステー１５３には、インク供給チューブ１５４が接続されている。インク供給チューブ１５４は、ケース１４１の内面に設けられた各クランプ１５５によって湾曲した形状でそれぞれ支持されているとともに、側壁形成部材１４３に設けられたチューブ挿通孔１５６を通じてケース１４１外に引き回されている。なお、ケース１４１内には、ケース１４１内に引き回されているインク供給チューブ１５４を隠すカバーが取り付けられているが、図３では、このカバーと蓋体１４４とを取り外した状態を示している。
【００３４】
ケース１４１外に引き回されたインク供給チューブ１５４は、記録ユニット１００の筐体１０１の内部に導入されている。このため、ステー１５３に液体収容体１５０が取り付けられると、液体収容体１５０に収容されているインクがインク供給チューブ１５４を介して記録ユニット１００に供給されるようになる。記録ユニット１００に供給されたインクは、同記録ユニット１００に設けられたインク供給系を通じて液体噴射ヘッド１０２に供給されて同液体噴射ヘッド１０２から噴射される。
【００３５】
また、各ステー１５３には、フレキシブルフラットケーブルである個別ケーブル１５７の一端がそれぞれ接続されている。個別ケーブル１５７の他端は、ケース１４１の内面に設けられた中継基板１５８に着脱可能に接続されている。中継基板１５８には、同中継基板１５８を通じて各個別ケーブル１５７に電気的に接続されるフレキシブルフラットケーブルである統合ケーブル１５９が着脱可能に接続されている。統合ケーブル１５９は、ケース１４１に設けられたチューブ挿通孔１５６を通じてケース１４１外に引き回され、ケース１４１外において記録ユニット１００の筐体１０１の内部に導入されている。記録ユニット１００の内部に導入された統合ケーブル１５９は、筐体１０１の内部に設けられた情報伝達系を介してメイン基板と接続されている。すなわち、各ステー１５３とメイン基板とは、これらのケーブル等を通じて電気的に接続されている。
【００３６】
ここで、液体収容体１５０の取手部１５２には、インクバッグ１５１に収容されているインクの残量や種類等の情報を記憶するＩＣチップが設けられている。このため、液体収容体１５０がステー１５３に取り付けられると、ＩＣチップとメイン基板とが電気的に接続された状態となり、メイン基板はＩＣチップに記憶された情報に基づいてプリンターの各種制御を実行する。なお、メイン基板は液体収容体１５０に収容されているインクの残量が所定量以下になると液体収容体１５０の交換を促す信号を出力する。
【００３７】
ところで、図４に示すように、ケース１４１の筐体１０１と対向する外面である側壁形成部材１４３の壁面には、第１の金属部材としての第１の板金部材の一例である外板金１６０が取り付けられている。また、プリンターの筐体１０１の内面には、第２の金属部材としての第２の板金部材の一例である内板金１６１が取り付けられている。そして、これら外板金１６０と内板金１６１がねじによって締結されることによりケース１４１が筐体１０１に装着されている。
【００３８】
次に、図４〜図１６を参照して、第１の液体収容ユニット１４０を筐体１０１の右側面に固定する固定部の構造について詳細に説明する。
図４に示すように、記録ユニット１００の筐体１０１は、プリンターの土台となるベースフレーム１０９、ベースフレーム１０９の上方に取り付けられて同ベースフレーム１０９に支持されたハウジングミドル１１０、及びハウジングミドル１１０の上方に設けられてスキャナーが収容されたスキャナー部１０８とによって構成されている。
【００３９】
図５に示すように、ハウジングミドル１１０は、右側壁部１１１、左側壁部１１２、及び両側壁部１１１，１１２の上端に接続された天井部１１３を備えている。両側壁部１１１，１１２は、プリンターに組み付けられた状態で外部に露出しており、右側壁部１１１の壁面に第１の液体収容ユニット１４０が装着される。
【００４０】
右側壁部１１１には、その下端から切り欠かれた凹部１１４が設けられている。図４に示すように、この凹部１１４は、第１の液体収容ユニット１４０のケース１４１に設けられたチューブ挿通孔１５６と対向する位置に設けられている。このため、チューブ挿通孔１５６を通じてケース１４１外に引き回されたインク供給チューブ１５４及び統合ケーブル１５９は、ハウジングミドル１１０の凹部１１４を通じて筐体１０１の内部に導かれる。
【００４１】
また、図５に示すように、右側壁部１１１の下端には凹部１１４を挟むようにして２つの切り欠き部１１５Ａ，１１５Ｂが形成されている。
ところで、プリンターの幅が一定である場合には、プリンターを正面から見たときに奥の方が狭まって見える傾向がある。このため、ハウジングミドル１１０の右側壁部１１１は、プリンターの奥行き方向において、手前側及び奥行き側ほどプリンターの幅方向における長さが短くなるように、すなわち中央部分がプリンターの幅方向において外側に突出するように若干湾曲した形状で成形されている。また、ハウジングミドル１１０の右側壁部１１１は、プリンターの高さ方向の下方ほど外側に位置するように、すなわちプリンターの幅方向における長さが長くなるようにプリンターの高さ方向に対して若干傾斜した形状で成形されている。
【００４２】
こうした形状を有する右側壁部１１１には、内板金１６１が圧入される取り付け孔１１６が形成されている。なお、取り付け孔１１６は上方に２箇所、下方に２箇所の計４箇所に形成されている。
【００４３】
次に、図６を参照して取り付け孔１１６の構造について詳細に説明する。なお、図６は、下方に設けられた２つの取り付け孔１１６のうち筐体１０１の奥行き方向の手前側に位置する取り付け孔１１６Ａを筐体１０１の内側から見たときの拡大図である。
【００４４】
図６に示すように、取り付け孔１１６は、図６における左側に位置して図６の上下方向に延びる第１の取り付け孔１１７と、図６における右側に位置して第１の取り付け孔１１７よりも上下方向の長さが長い第２の取り付け孔１１８とからなる。そして、第１の取り付け孔１１７における上方の部分を上方孔部１１９、下方の部分を下方孔部１２０とすると、上方孔部１１９と下方孔部１２０との間には段差が形成され、上方孔部１１９と比べて下方孔部１２０が左側に位置している。また、第２の取り付け孔１１８は、第１の取り付け孔１１７側に位置する内側孔部１２１と、同内側孔部１２１よりも上下方向に長い取付孔部１２２と、同取付孔部１２２よりも上方に延びる外側孔部１２３とを有している。なお、内側孔部１２１、取付孔部１２２、及び外側孔部１２３は、上端及び下端の位置がそれぞれ異なっており、それらの接続部分に段差が形成されている。なお、取付孔部１２２と外側孔部１２３との段差のうち図６の下方側に形成された段差１２４には傾斜が付けられている。また、第１の取り付け孔１１７及び第２の取り付け孔１１８の間には略円形状のねじ挿通孔１２５が設けられている。
【００４５】
図７（ａ）及び（ｂ）に示すように、内板金１６１は、ねじを締結するためのねじ孔１６２が設けられた天板部１６３を有している。図７（ａ）に示すように、天板部１６３は、ねじ孔１６２が設けられた幅狭部１６３Ａと、幅狭部１６３Ａよりも拡幅された幅広部１６３Ｂとを有している。そして、図７（ｂ）に示すように、幅狭部１６３Ａには、同幅狭部１６３Ａから略垂直に延びてその端部が外方に屈曲した第１の保持部１６４が設けられている。また、幅広部１６３Ｂには、同幅広部１６３Ｂから略垂直に延びてその端部が外方に屈曲した第２の保持部１６５が設けられている。この第２の保持部１６５と幅広部１６３Ｂとの接続部分には、その中央に内板金１６１の縦方向（図７（ａ）の上下方向）に延びる長孔１６６が形成されている。すなわち、長孔１６６は、縦方向（図７（ａ）の上下方向）の長さと横方向（図７（ａ）の左右方向）の長さとが異なっている。
【００４６】
次に、図８を参照して、ハウジングミドル１１０の右側壁部１１１への内板金１６１の取り付け方法の一例を説明する。
ハウジングミドル１１０の右側壁部１１１に内板金１６１を取り付ける際にはまず、図８（ａ）に示すように、内板金１６１の第１の保持部１６４を、右側壁部１１１に設けられた第１の取り付け孔１１７の上方孔部１１９に挿入する。そして、図８（ｂ）に示すように、内板金１６１の天板部１６３と右側壁部１１１の壁面とを対向させるように内板金１６１を倒し、内板金１６１の第２の保持部１６５を右側壁部１１１に設けられた第２の取り付け孔１１８の外側孔部１２３に挿入する。その後、図８（ｃ）に示すように、内板金１６１の第２の保持部１６５側を図８における下方にスライドさせる。このとき、第２の取り付け孔１１８の外側孔部１２３と取付孔部１２２との間の段差１２４が傾斜しているため、内板金１６１はこの傾斜に沿って取付孔部１２２に案内される。その後、図８（ｄ）に示すように、内板金１６１の全体を下方にスライドさせて第２の保持部１６５を取付孔部１２２の下端まで押し込む。なお、こうして内板金１６１を下方にスライドさせたときには、内板金１６１の第１の保持部１６４が第１の取り付け孔１１７の下方孔部１２０に徐々に挿入される。その後、図８（ｅ）に示すように、第１の保持部１６４を下方孔部１２０の下端まで押し込む。図８（ｅ）及び（ｆ）に示すように、内板金１６１が取り付け孔１１６の下端まで押し込まれると、内板金１６１に設けられたねじ孔１６２が右側壁部１１１に設けられたねじ挿通孔１２５と重なった状態になるとともに、内板金１６１の長孔１６６が第２の取り付け孔１１８の内側孔部１２１と重なった状態になる。なお、図８（ｆ）は、図８（ｅ）の状態を反対側から見た状態、すなわち筐体１０１の外側から見た状態を示している。
【００４７】
ここで、第１の取り付け孔１１７の下方孔部１２０と第２の取り付け孔１１８の取付孔部１２２との間の距離は、内板金１６１の天板部１６３の横方向（図８の左右方向）における長さよりも短い。このため、こうして内板金１６１が取り付け孔１１６に取り付けられると、第１の取り付け孔１１７及び第２の取り付け孔１１８によって内板金１６１が挟み込まれた状態となる。また、第１の取り付け孔１１７や第２の取り付け孔１１８には段差が形成されているため、内板金１６１が取り付け孔１１６の下端まで押し込まれると内板金１６１の上端部が段差に引っかかり抜けにくくなる。このため、こうした構成の取り付け孔１１６に内板金１６１が一旦圧入されると、内板金１６１は取り付け孔１１６に保持されて外れにくくなる。
【００４８】
図９には、右側壁部１１１の取り付け孔１１６の全てに内板金１６１を取り付けた後の状態を示している。図９に示すように、上方に設けられている２つの取り付け孔１１６は、下方に設けられている各取り付け孔１１６とは異なる向きで設けられている。そのため、右側壁部１１１に取り付けられている内板金１６１のうち上方の取り付け孔１１６に圧入されている内板金１６１は、他の内板金１６１と長孔１６６の延びている向きが異なっている。より詳細には、上方の取り付け孔１１６に圧入されている内板金１６１の長孔１６６は図９の左右方向（筐体１０１の奥行き方向）に延びており、下方の取り付け孔１１６に圧入されている内板金１６１の長孔１６６は図９の上下方向（筐体１０１の高さ方向）に延びている。なお、右側壁部１１１には、下方に設けられた各取り付け孔１１６の間に筐体１０１の高さ方向に延びる縦孔１２６が設けられている。
【００４９】
次に、図１０を参照して、内板金１６１と締結される外板金１６０の構成について説明する。
図１０に示すように、外板金１６０は、プリンターの高さ方向の上方に位置する上方板部１６７と、下方に位置する下方板部１６８とを有している。上方板部１６７は下方板部１６８と段差を介して接続されており、上方板部１６７は下方板部１６８に対してプリンターの幅方向における外側に位置する。下方板部１６８には、ハウジングミドル１１０の右側壁部１１１の下方に設けられた内板金１６１とねじによって締結される締結部１６９が設けられている。この締結部１６９は、プリンターの奥行き方向における手前側から第１の締結部１６９Ａ及び第２の締結部１６９Ｂの順に並んでいる。また、上方板部１６７には、ハウジングミドル１１０の右側壁部１１１の上方に設けられた内板金１６１とねじによって締結される締結部１７０が設けられている。この締結部１７０は、プリンターの奥行き方向における手前側から第３の締結部１７０Ａ及び第４の締結部１７０Ｂの順に並んでいる。
【００５０】
第１の締結部１６９Ａは、下方板部１６８の基準面１７１に設けられた円形のねじ孔１７２を有している。また、第２の締結部１６９Ｂは、下方板部１６８の基準面１７１よりもプリンターの幅方向における内側に突出しており、その底面にねじ孔１７２が設けられている。
【００５１】
一方、上方板部１６７に設けられた第３の締結部１７０Ａは、上方板部１６７の基準面１７３よりもプリンターの幅方向における内側に突出している。なお、その突出度合いは、下方板部１６８の基準面１７１と上方板部１６７の基準面１７３との段差と同じになっている。そのため、第３の締結部１７０Ａの底面に設けられたねじ孔１７２は、第１の締結部１６９Ａのねじ孔１７２と、基準面１７１及び基準面１７３に垂直な方向である外板金１６０の厚さ方向における位置が揃えられている。
【００５２】
また、第４の締結部１７０Ｂは、上方板部１６７の基準面１７３よりもプリンターの幅方向における内側に突出している。なお、その突出度合いは、第３の締結部１７０Ａよりも大きく、第４の締結部１７０Ｂの底面は、下方板部１６８の基準面１７１よりもプリンターの幅方向における内側に位置している。そして、第４の締結部１７０Ｂの底面に設けられたねじ孔１７２は、第２の締結部１６９Ｂの底面に設けられたねじ孔１７２と外板金１６０の厚さ方向における位置が揃えられている。
【００５３】
また、第１の締結部１６９Ａと第２の締結部１６９Ｂとの間には、ハウジングミドル１１０の右側壁部１１１に設けられた縦孔１２６に対応してプリンターの高さ方向に延びた形状を有し、プリンターの幅方向における内側に突出した突出部１７４が設けられている。また、第３の締結部１７０Ａ及び第４の締結部１７０Ｂには、その上端に内板金１６１の長孔１６６に対応してプリンターの奥行き方向に延びた形状を有し、プリンターの幅方向における内側に突出した突出部１７５がそれぞれ設けられている。
【００５４】
また、外板金１６０の上端部には、ケース１４１の内面にねじによってステー１５３を締結するときにケース１４１を貫通したねじと螺合する複数のボス部１７６が設けられている。また、外板金１６０の下方板部１６８の上端部には、プリンターの幅方向における外側に屈曲した複数のねじ止め部１７７が設けられている。一方、下方板部１６８の下端部には、下方板部１６８の基準面１７１からプリンターの幅方向における内側に屈曲してその先端が下方に延びる複数の挿通部１７８が設けられており、プリンターの奥行き方向の手前側の部分には、切り欠き１７９が形成されている。
【００５５】
次に、図１１を参照して、外板金１６０と内板金１６１との締結方法の一例について説明する。
図１１に示すように、ハウジングミドル１１０の下端がベースフレーム１０９によって支持されている状態で、まず、外板金１６０の下端に設けられた複数の挿通部１７８をハウジングミドル１１０の右側壁部１１１の下端に設けられた切り欠き部１１５Ａ，１１５Ｂにそれぞれ差し込む。また、外板金１６０の複数の挿通部１７８のうちの１つをベースフレーム１０９に設けられた支持孔１２７に挿通する。これにより、外板金１６０の下端は筐体１０１によって下方から支持される。そして、外板金１６０の第３の締結部１７０Ａ及び第４の締結部１７０Ｂに設けられた突出部１７５をハウジングミドル１１０の右側壁部１１１の上方に設けられた２つの内板金１６１の長孔１６６に挿通する。右側壁部１１１の取り付け孔１１６に設けられた内側孔部１２１は内板金１６１の長孔１６６と重なっているため、こうして長孔１６６に挿入された突出部１７５は、内側孔部１２１にも挿入されてハウジングミドル１１０の右側壁部１１１を貫通する。
【００５６】
また、外板金１６０の第１の締結部１６９Ａ及び第２の締結部１６９Ｂの間に設けられた突出部１７４をハウジングミドル１１０の右側壁部１１１に設けられた縦孔１２６に挿通する。内板金１６１の長孔１６６と右側壁部１１１の縦孔１２６とは、孔の延びる方向が異なっているため、これらの孔に突出部１７４，１７５をそれぞれ挿通することにより、内板金１６１、及び右側壁部１１１に対する外板金１６０の位置を、プリンターの高さ方向と奥行き方向の双方であわせることができる。そして、第１〜第４の締結部の各ねじ孔１７２、ハウジングミドル１１０のねじ挿通孔１２５、内板金１６１のねじ孔１６２に外板金１６０側からねじを挿通して内板金１６１と外板金１６０とを締結する。こうして内板金１６１と外板金１６０とが締結されると、ハウジングミドル１１０の右側壁部１１１は外板金１６０と内板金１６１とによって挟まれた状態となる。
【００５７】
また、内板金１６１の第１の保持部１６４及び第２の保持部１６５の先端は、右側壁部１１１の壁面よりも外側に突出している。外板金１６０には内板金１６１の第１の保持部１６４及び第２の保持部１６５の先端と重なる部分に複数の孔部１８０が設けられている。このため、外板金１６０と内板金１６１とが締結された状態では、外板金１６０の孔部１８０から内板金１６１の先端が露出する。
【００５８】
こうした状態において外板金１６０の下端に設けられた切り欠き１７９は、ハウジングミドル１１０の右側壁部１１１の凹部１１４、すなわちケース１４１のチューブ挿通孔１５６と重なっている。このため、外板金１６０と内板金１６１とが締結されているときに、外板金１６０によってチューブ挿通孔１５６が覆われてしまうことはなく、インク供給チューブ１５４や統合ケーブルを切り欠き１７９及びチューブ挿通孔１５６を通じて筐体１０１内に導入することができる。
【００５９】
図１２に示すように、第１の液体収容ユニット１４０のケース１４１は、ケース１４１の内側から挿通された複数のねじによって外板金１６０と締結されている。また、ケース１４１の内面には複数のステー１５３が固定されている。ステー１５３の上端をケース１４１に固定しているねじ１２８は、ケース１４１を貫通して外板金１６０に設けられたボス部１７６と螺合している。このため、ステー１５３の上端部をケース１４１に固定しているねじ１２８は、ケース１４１とステー１５３とを固定するだけでなく、ケース１４１と外板金１６０とを固定している。
【００６０】
また、ケース１４１には、ステー１５３の下端部と対向する部分に孔があけられており、この部分から外板金１６０のねじ止め部１７７が露出している。ステー１５３の下端部はこのねじ止め部１７７にねじを介して締結されている。
【００６１】
また、ケース１４１の側壁形成部材１４３には、ステー１５３と重ならない部分に切り欠き孔１２９が形成されている。外板金１６０及び内板金１６１は、それぞれに形成されているねじ孔１６２，１７２が切り欠き孔１２９と重なるように配設され、外板金１６０側から各ねじ孔１６２，１７２に挿通されたねじ１３１によって外板金１６０と内板金１６１とが締結されている。このため、ケース１４１と筐体１０１とを締結しているねじ１３１の頭部はケース１４１に設けられた切り欠き孔１２９を通じて露出した状態になっている。
【００６２】
こうした構成を備える第１の液体収容ユニット１４０では、ケース１４１に取り付けられたステー１５３を取り外さなくても、外板金１６０と内板金１６１とを締結するねじ１３１をケース１４１の内部から締めたり緩めたりすることができる。このため、外板金１６０と内板金１６１との締結を解除するだけで、図４に示すように、ケース１４１の外面に外板金１６０を固定したままケース１４１を筐体１０１から取り外すことができる。したがって、記録ユニット１００のメンテナンス等をする際の作業性が向上する。
【００６３】
次に、図１３及び図１４を参照して、筐体１０１とケース１４１との固定部の構造について説明する。なお、図１３は図１２における第１の締結部１６９Ａ及び第３の締結部１７０Ａを結ぶ線に沿った断面構造を模式的に示した図であり、図１４は図１２における第２の締結部１６９Ｂ及び第４の締結部１７０Ｂを結ぶ線に沿った断面構造を模式的に示した図である。
【００６４】
図１３に示すように、ハウジングミドル１１０の右側壁部１１１は、プリンターの高さ方向に対して下方ほど外側に位置するように、プリンターの高さ方向に対して傾斜角度θ１で傾斜している。そして、右側壁部１１１には筐体１０１の内側から内板金１６１が取り付けられている。すなわち、ハウジングミドル１１０の内面には内板金１６１が取り付けられている。
【００６５】
また、外板金１６０における第１の締結部１６９Ａが下方板部１６８の基準面１７１に設けられているため、外板金１６０の下方板部１６８は、ハウジングミドル１１０の外面に当接しているとともに、ケース１４１の外面から離間した状態でねじ１３１によって締結されている。下方板部１６８に接続されている上方板部１６７は、下方板部１６８よりもプリンターの幅方向外側に位置している。このため、上方板部１６７はハウジングミドル１１０の外面から離間しているとともに、ケース１４１の外面に当接している。第３の締結部１７０Ａは、上方板部１６７からハウジングミドル１１０側に突出しており、その底面がハウジングミドル１１０の外面と当接した状態で内板金１６１とねじ１３１によって締結されている。上述したように、基準面１７３からの第３の締結部１７０Ａの突出度合いは、基準面１７１と基準面１７３との段差と同じになっており、第３の締結部１７０Ａの底面に設けられたねじ孔１７２は、第１の締結部１６９Ａのねじ孔１７２と外板金１６０の厚さ方向における位置が揃えられている。そのため、上方板部１６７と当接しているケース１４１の外面から第１の締結部１６９Ａ及び第３の締結部１７０Ａまでの距離は等しい。したがって、第１の液体収容ユニット１４０のケース１４１は、プリンターの高さ方向に対して傾斜している筐体１０１の右側面に沿うように、プリンターの高さ方向に対して傾斜角度θ１と等しい角度で傾斜した状態で筐体１０１に装着されている。
【００６６】
一方、図１４に示すように、第２の締結部１６９Ｂが設けられている部分では、第２の締結部１６９Ｂが下方板部１６８の基準面１７１よりもプリンターの幅方向の内側に位置しているため下方板部１６８がハウジングミドル１１０の外面からも離間した状態となる。また、上述したように、基準面１７３からの第４の締結部１７０Ｂの突出度合いが、第３の締結部１７０Ａの突出度合いよりも大きく、第４の締結部１７０Ｂの底面に設けられたねじ孔１７２は、第２の締結部１６９Ｂの底面に設けられたねじ孔１７２と外板金１６０の厚さ方向における位置が揃えられている。したがって、図１５に示すように、第１の締結部１６９Ａ及び第３の締結部１７０Ａが設けられている部分と比べて、第２の締結部１６９Ｂ及び第４の締結部１７０Ｂが設けられている部分では筐体１０１からケース１４１までの距離Ｌが長くなっている。すなわち、ケース１４１の外面がプリンターの奥行き方向における手前側ほどプリンターの幅方向における内側に位置するようにケース１４１がプリンターの奥行き方向に対して傾斜した状態で筐体１０１に装着されている。このため、ケース１４１をプリンターの奥行き方向に対して傾けずに装着する場合と比較して、正面から見える筐体１０１とケース１４１との隙間が小さくなっている。
【００６７】
また、ケース１４１は略直方体状に形成されているため、上述したようにケース１４１がプリンターの奥行き方向に傾斜していると、ケース１４１を含むプリンターの幅が、同プリンターの奥行き方向における奥側ほど大きくなる。このため、正面から見たときにプリンターの側壁が凹んでいると錯覚されにくくなっている。
【００６８】
また、図１６に示すように、筐体１０１の上方に設けられたスキャナー部１０８と、ケース１４１の外面に取り付けられている外板金１６０とは対向しているものの、外板金１６０の上方板部１６７はケース１４１側に屈曲して設けられているため、スキャナー部１０８と外板金１６０との間には間隙が設けられている。
【００６９】
外板金１６０が筐体１０１の壁面に当接していると、ケース１４１の内側から外板金１６０とケース１４１とをねじによって締結するときに外板金１６０を貫通したねじが筐体１０１の壁面に干渉してしまう。この点、本実施形態では、ハウジングミドル１１０の壁面に逃がし孔１３０が設けられている。このため、同ハウジングミドル１１０の壁面と当接する外板金１６０の下方板部１６８にケース１４１がねじによって締結されても同ねじがハウジングミドル１１０の壁面と干渉しないようになっている。
【００７０】
一方、スキャナー部１０８と外板金１６０との間には隙間があるため、ケース１４１と外板金１６０とをねじによって締結しても、ねじの先端がスキャナー部１０８の壁面と干渉しにくい。このため、スキャナー部１０８の壁面には逃がし孔１３０が設けられていない。
【００７１】
次に、筐体１０１の左側面に取り付けられている第２の液体収容ユニット１９０について説明する。
図１及び図４に示すように、第２の液体収容ユニット１９０は、第１の液体収容ユニット１４０と同様に樹脂製のケース１９１を備えている。ケース１９１は、ケース１９１の底を形成する有底箱状の底形成部材１９２と、底形成部材１９２における筐体１０１と対向する側壁の上端に連結される側壁形成部材１９３と、底形成部材１９２の上端に回動可能に連結される蓋体１９４とによって構成されている。蓋体１９４は側壁形成部材１９３の上端と当接、離間することによりケース１９１を開閉する。なお、ケース１９１は、略直方体状に形成されている。
【００７２】
ケース１９１には、液体収容体が格納されている。液体収容体は、例えばブラックインクが収容されており、第１の液体収容ユニット１４０に設けられた液体収容体１５０よりも容量が大きい可撓性材料からなるインクバッグと、インクバッグの上端部に固定された矩形環状の取手部とを備えている。
【００７３】
図１７に示すように、ケース１９１の内側における側壁形成部材１９３の壁面には、液体収容体が取り付けられるステー１９５が１つ固定されている。このステー１９５に液体収容体の取手部が嵌め込まれることで液体収容体が着脱可能に取り付けられる。すなわち、このステー１９５は液体収容体を保持する液体収容体保持部として機能する。また、ステー１９５には、インク供給チューブ１９６が接続されている。インク供給チューブ１９６は、ケース１９１の内面に設けられたクランプ１９７によって湾曲した形状で支持されているとともに、側壁形成部材１９３においてプリンターの奥行き方向手前側に設けられたチューブ挿通孔１９８を通じてケース１９１外に引き回されている。なお、ケース１９１内には、ケース１９１内に引き回されているインク供給チューブ１９６を隠すカバーが取り付けられているが、図１７では、このカバーと蓋体１９４とを取り外した状態を示している。
【００７４】
ケース１９１外に引き回されたインク供給チューブ１９６は、記録ユニット１００の筐体１０１の内部に導入されている。このため、ステー１９５に液体収容体が取り付けられると、液体収容体に収容されているインクがインク供給チューブ１９６を介して記録ユニット１００に供給されるようになる。記録ユニット１００に供給されたインクは、同記録ユニット１００に設けられたインク供給系を通じて液体噴射ヘッド１０２に供給されて同液体噴射ヘッド１０２から噴射される。
【００７５】
また、ステー１９５には、フレキシブルフラットケーブルである個別ケーブルの一端が接続されている。個別ケーブルは、ケース１９１に設けられたチューブ挿通孔１９８を通じてケース１９１外に引き回され、ケース１９１外において記録ユニット１００の筐体１０１の内部に導入されている。記録ユニット１００の内部に導入された個別ケーブルは、筐体１０１の内部に設けられた情報伝達系を介してメイン基板と接続されている。
【００７６】
このステー１９５に取り付けられる液体収容体の取手部にも、インクバッグに収容されているインクの残量や種類等の情報を記憶するＩＣチップが設けられている。このため、液体収容体がステー１９５に取り付けられると、ＩＣチップとメイン基板とが電気的に接続された状態となる。そして、メイン基板はＩＣチップに記憶された情報に基づいてプリンターの各種制御を実行する。なお、メイン基板は第２の液体収容ユニット１９０に設けられている液体収容体に収容されているインクの残量が所定量以下になると液体収容体の交換を促す信号を出力する。
【００７７】
第２の液体収容ユニット１９０は、第１の液体収容ユニット１４０と同様に、ケース１９１の外面に取り付けられた外板金１９９（図２０参照）と、筐体１０１の左側面に内側から取り付けられた内板金１６１とをねじによって締結することにより筐体１０１に装着されている。なお、筐体１０１の左側面に取り付けられている内板金１６１は、筐体１０１の右側面に取り付けられている内板金１６１と同じものである。また、上述したように、記録ユニット１００の筐体１０１を構成するハウジングミドル１１０の左側壁部１１２は、プリンターに組み付けられた状態で外部に露出しており、この左側壁部１１２の壁面に第２の液体収容ユニット１９０が装着されている。
【００７８】
図１８に示すように、ハウジングミドル１１０の左側壁部１１２には、プリンターの奥行き方向の手前側から切り欠かれた凹部２００が設けられている。この凹部２００は、第２の液体収容ユニット１９０のケース１９１に設けられたチューブ挿通孔１９８と対向する位置に設けられている。このため、チューブ挿通孔１９８を通じてケース１９１外に引き回されたインク供給チューブ１９６及び個別ケーブルは、ハウジングミドル１１０の左側壁部１１２に設けられた凹部２００を通じて筐体１０１の内部に導かれる。
【００７９】
また、左側壁部１１２には、下端から切り欠かれた２つの切り欠き部２０１Ａ，２０１Ｂが形成されている。
ハウジングミドル１１０の左側壁部１１２も、右側壁部１１１と同様に、プリンターの奥行き方向において、手前側及び奥行き側ほどプリンターの幅方向における長さが短くなるように、すなわち中央部分がプリンターの幅方向において外側に突出するように若干湾曲した形状で成形されている。また、左側壁部１１２は、プリンターの高さ方向の下方ほど外側に位置するように、すなわちプリンターの幅方向における長さが長くなるようにプリンターの高さ方向に対して若干傾斜した形状で成形されている。
【００８０】
こうした形状を有する左側壁部１１２には、右側壁部１１１に設けられた取り付け孔１１６と同じ形状の取り付け孔２０２が設けられている。なお、取り付け孔２０２は上方に２箇所、下方に２箇所の計４箇所に設けられている。なお、略円形状のねじ挿通孔２０３も同様に設けられている。そして、これらの取り付け孔２０２には、例えば上述した方法と同じ方法で内板金１６１が圧入されている。このため、内板金１６１が取り付け孔２０２に圧入された状態では、内板金１６１に設けられたねじ孔１６２と左側壁部１１２に設けられたねじ挿通孔２０３とが重なっており、内板金１６１の長孔１６６と取り付け孔２０２の内側孔部１２１とが重なっている。
【００８１】
図１８には、左側壁部１１２の取り付け孔２０２の全てに内板金１６１を取り付けた後の状態を示している。図１８に示すように、上方に設けられている２つの取り付け孔２０２は、下方に設けられている各取り付け孔２０２とは異なる向きで設けられている。そのため、左側壁部１１２に取り付けられている内板金１６１のうち上方の取り付け孔２０２に圧入されている内板金１６１は、他の内板金１６１と長孔１６６の延びている向きが異なっている。より詳細には、上方の取り付け孔２０２に圧入されている内板金１６１の長孔１６６は図１８の左右方向（筐体１０１の奥行き方向）に延びており、下方に圧入されている内板金１６１の長孔１６６は図１８の上下方向（筐体１０１の高さ方向）に延びている。
【００８２】
また、図１９に示すように、ハウジングミドル１１０には、筐体１０１を正面から見たときに、記録ユニット１００においてインク供給チューブ１９６が挿入されている左側面側の部分を隠すカバー部材２０４が取り付けられている。このカバー部材２０４は、筐体１０１の左側面の一部を構成しており、このカバー部材２０４によって、ハウジングミドル１１０の左側壁部１１２に設けられた凹部２００の開口が塞がれている。
【００８３】
次に、図２０を参照して、左側壁部１１２に圧入されている内板金１６１と締結される第２の液体収容ユニット１９０の外板金１９９の構成について説明する。
図２０に示すように、第２の液体収容ユニット１９０の外板金１９９は、第１の液体収容ユニット１４０の外板金１６０とは異なり、上方側の部分と下方側の部分との間に段差が設けられていない。この外板金１９９には、ハウジングミドル１１０の左側壁部１１２に設けられた４つの内板金１６１と対向する位置に、４つの締結部２０５が設けられている。これら締結部２０５には円形のねじ孔２０６がそれぞれ設けられている。また、各締結部２０５の端部には、内板金１６１の長孔１６６に対応した形状を有し、プリンターの幅方向における内側に突出した突出部２０７がそれぞれ設けられている。
【００８４】
外板金１９９の上端部には、ケース１９１の内面にねじによってステー１９５を締結するときにケース１９１を貫通したねじと螺合する２つのボス部２０８が設けられている。また、外板金１９９の中央部には、プリンターの幅方向における外側に屈曲した２つのねじ止め部２０９が設けられている。一方、外板金１９９の下端部には、プリンターの幅方向における内側に屈曲してその先端が下方に延びる２つの挿通部２１０が設けられている。
【００８５】
次に、図２１を参照して、ハウジングミドル１１０の左側壁部１１２に圧入されている内板金１６１と第２の液体収容ユニット１９０の外板金１９９との締結方法の一例について説明する。
【００８６】
図２１に示すように、ハウジングミドル１１０の下端がベースフレーム１０９によって支持されている状態で、まず、外板金１９９の下端に設けられた２つの挿通部２１０をハウジングミドル１１０の左側壁部１１２の下端に設けられた切り欠き部２０１Ａ，２０１Ｂにそれぞれ差し込む。これにより、外板金１９９の下端は筐体１０１によって下方から支持される。そして、外板金１９９の各締結部２０５に設けられた突出部２０７を内板金１６１の長孔１６６に挿通する。左側壁部１１２の取り付け孔２０２に設けられた内側孔部１２１は内板金１６１の長孔１６６と重なっているため、こうして長孔１６６に挿入された突出部２０７は、内側孔部１２１にも挿入されてハウジングミドル１１０の左側壁部１１２を貫通する。
【００８７】
また、左側壁部１１２の上方の取り付け孔２０２に圧入された内板金１６１の長孔１６６の延びる方向と、下方の取り付け孔２０２に圧入された内板金１６１の長孔１６６の延びる方向とは異なっている。このため、これらの長孔１６６に突出部２０７を挿通することにより、内板金１６１、及び左側壁部１１２に対する外板金１９９の位置を、プリンターの高さ方向と奥行き方向の双方であわせることができる。そして、各締結部２０５のねじ孔２０６、ハウジングミドル１１０のねじ挿通孔２０３、及び内板金１６１のねじ孔１６２に外板金１９９側からねじを挿通して内板金１６１と外板金１９９とを締結する。こうして内板金１６１と外板金１９９とが締結されると、ハウジングミドル１１０の左側壁部１１２は外板金１９９と内板金１６１とによって挟まれた状態となる。
【００８８】
また、内板金１６１の先端は、左側壁部１１２の壁面よりも外側に突出している。外板金１９９には内板金１６１の先端と重なる部分に複数の孔部２１１が設けられている。このため、外板金１９９と内板金１６１とが締結された状態では、外板金１９９の孔部２１１から内板金１６１の先端が露出する。
【００８９】
また、内板金１６１と外板金１９９とが締結された状態では、外板金１９９が左側壁部１１２の凹部２００にまで達しないため、外板金１９９によって凹部２００が覆われてしまうことはなく、インク供給チューブ１９６や個別ケーブルを筐体１０１内に導入する際に、外板金１９９が邪魔になることはない。
【００９０】
図１７に示すように、第２の液体収容ユニット１９０のケース１９１はケース１９１の内側から挿通された複数のねじによって外板金１９９と締結されている。また、ケース１９１の内面にはステー１９５が固定されている。ステー１９５の上端をケース１９１に固定しているねじ２２０は、ケース１９１を貫通して外板金１９９に設けられたボス部２０８と螺合している。このため、ステー１９５の上端部をケース１９１に固定しているねじ２２０は、ケース１９１とステー１９５とを固定するだけでなく、ケース１９１と外板金１９９とを固定している。
【００９１】
また、ケース１９１には、ステー１９５の下端部と対向する部分に孔があけられており、この部分から外板金１９９のねじ止め部２０９が露出している。ステー１９５の下端部はこのねじ止め部２０９にねじによって締結されている。
【００９２】
ケース１９１の側壁形成部材１９３には、ステー１９５と重ならない部分に切り欠き孔２１２が形成されている。外板金１９９及び内板金１６１は、それぞれに形成されているねじ孔２０６，１６２が切り欠き孔２１２と重なるように配設され、外板金１９９側から各ねじ孔２０６，１６２に挿通されたねじ２２１によって外板金１９９と内板金１６１とが締結されている。このため、ケース１９１と筐体１０１とを締結しているねじ２２１の頭部はケース１９１に設けられた切り欠き孔２１２を通じて露出した状態になっている。
【００９３】
こうした構成を備える第２の液体収容ユニット１９０では、ケース１９１に取り付けられたステー１９５を取り外さなくても、外板金１９９と内板金１６１とを締結するねじ２２１をケース１９１の内部から締めたり緩めたりすることができる。このため、外板金１９９と内板金１６１との締結を解除するだけで、ケース１９１の外面に外板金１９９を固定したままケース１９１を筐体１０１から取り外すことができる。したがって、記録ユニット１００のメンテナンス等をする際の作業性が向上する。
【００９４】
また、図２２に示すように、第２の液体収容ユニット１９０のケース１９１の外面は外板金１９９とほぼ全面で当接し、筐体１０１も外板金１９９とほぼ全面で当接している。このため、ハウジングミドル１１０の壁面には逃がし孔２１３が設けられ、ケース１９１の内側から挿通したねじによってケース１９１と外板金１９９とを締結するときに外板金１９９を貫通したねじがハウジングミドル１１０の壁面に干渉しないようにしている。
【００９５】
また、ハウジングミドル１１０の左側壁部１１２は、プリンターの高さ方向に対して下方ほど外側に位置するようにプリンターの高さ方向に対して傾斜している。このため、左側壁部１１２に沿って装着された第２の液体収容ユニット１９０は左側壁部１１２の傾斜角度と等しい角度でプリンターの高さ方向に対して傾斜した状態で筐体１０１に装着されている。
【００９６】
ところで、図２３に示すように、プリンターの奥行き方向における第２の液体収容ユニット１９０の長さは、第１の液体収容ユニット１４０に比して短い。本実施形態では、第２の液体収容ユニット１９０のケース１９１をプリンターの奥行き方向に対して傾斜させずに筐体１０１の左側面に装着している。
【００９７】
また、図２３に示すように、プリンターの奥行き方向において、第１の液体収容ユニット１４０、並びに第２の液体収容ユニット１９０は、筐体１０１の最も手前側の部分よりも奥側に位置している。このため、筐体１０１よりもケース１４１，１９１が手前側に飛び出した形状にならず、ケース１４１，１９１が邪魔になりにくい。
【００９８】
図２４及び図２５に示すように、プリンターの筐体１０１の背面には、左側面側の端部に電源コード２１４が接続される差し込み口２１５が設けられている。また、筐体１０１の背面には、用紙Ｐを載置するための載置トレイ２１６や同載置トレイ２１６に載置された用紙Ｐを筐体１０１内に送る紙送り部２１７等が設けられている。載置トレイ２１６や紙送り部２１７は、差し込み口２１５よりもプリンターの奥行き方向の奥側に突出している。このため、左側面に装着される第２の液体収容ユニット１９０が筐体１０１の差し込み口２１５よりも奥側に大きく突出している場合には、差し込み口２１５の両側部が塞がれた状態になってしまうため、差し込み口２１５への電源コード２１４の抜き差しがしにくくなるおそれがある。本実施形態では、プリンターの奥行き方向において第２の液体収容ユニット１９０が差し込み口２１５よりも奥側に位置しないように、同液体収容ユニット１９０が筐体１０１の左側面に装着されているため、ユーザーは差し込み口２１５にアクセスしやすくなり電源コード２１４の抜き差し等が容易になる。
【００９９】
また、図２４及び図２６に示すように、第１の液体収容ユニット１４０のケース１４１は、プリンターの奥行き方向における奥側に飛び出した状態で筐体１０１に装着されている。このため、ケース１４１の外面には、奥側に飛び出した部分を覆う化粧板２１８が取り付けられている。また、図２６に示すように、外板金１６０の上端には封止部材の一例であるスポンジ２１９が取り付けられている。このため、第１の液体収容ユニット１４０が筐体１０１に取り付けられると、ケース１４１と筐体１０１との間にスポンジ２１９が挟み込まれた状態となる。これにより、筐体１０１とケース１４１との隙間が塞がれる。
【０１００】
以上説明した第１の実施形態によれば、以下の作用効果が得られるようになる。
（１）筐体１０１の内面に内板金１６１を取り付け、第１の液体収容ユニット１４０のケース１４１の外面、及び第２の液体収容ユニット１９０のケース１９１の外面に外板金１６０，１９９をそれぞれ取り付けた上で、内板金１６１と外板金１６０，１９９とを締結することによって筐体１０１とケース１４１，１９１とを固定するようにしている。そのため、これらの板金によって補強されている分だけ、筐体１０１とケース１４１，１９１とを直接締結する場合と比べて筐体１０１とケース１４１，１９１とを固定している部分の強度が高くなる。また、内板金１６１及び外板金１６０，１９９を介して筐体１０１とケース１４１，１９１とがねじによって締結されているため、筐体１０１とケース１４１，１９１とを直接締結する場合と比べて、ねじを介して伝わる荷重が各板金を介して筐体１０１及びケース１４１，１９１の広い範囲に分散される。したがって、液体収容体を格納するケース１４１，１９１を十分な強度を確保して筐体１０１に固定したプリンターを実現することができる。
【０１０１】
（２）内板金１６１は、樹脂製の筐体１０１の壁面に設けられた取り付け孔１１６，２０２に圧入されているため、内板金１６１を筐体１０１に容易に組み付けることができる。
【０１０２】
（３）筐体１０１の右側面の上方の取り付け孔１１６に圧入された内板金１６１の長孔１６６の延びる方向と、下方の取り付け孔１１６の間に設けられた縦孔１２６の延びる方向とが異なるように内板金１６１が筐体１０１に取り付けられている。そして、内板金１６１の長孔１６６に外板金１６０の突出部１７５をそれぞれ挿通するとともに、縦孔１２６に外板金１６０の突出部１７４を挿通している。このため、少なくとも二つの方向の位置決めを行うことができるようになり、ケース１４１と筐体１０１との位置ずれを抑制して、より正確に位置合わせを行うことができる。
【０１０３】
（４）筐体１０１の左側面の上方の取り付け孔２０２に圧入された内板金１６１は、下方の取り付け孔２０２に圧入された内板金１６１と長孔１６６の延びる方向が異なるように取り付けられており、これらの長孔１６６に外板金１９９の突出部２０７がそれぞれ挿通されている。このため、少なくとも二つの方向の位置決めを行うことができるようになり、ケース１９１と筐体１０１との位置ずれを抑制して、より正確に位置合わせを行うことができる。
【０１０４】
（５）第１の液体収容ユニット１４０のケース１４１には、ケース１４１の内面に取り付けられたステー１５３と重ならない部分に切り欠き孔１２９が形成されており、内板金１６１と外板金１６０とは、それぞれに形成されているねじ孔１６２，１７２が切り欠き孔１２９と重なるように配設されている。そして、外板金１６０側から各ねじ孔１６２，１７２に挿通されたねじ１３１によって内板金１６１と外板金１６０とが締結されている。このため、ケース１４１と筐体１０１とを締結しているねじ１３１の頭部はケース１４１に設けられた切り欠き孔１２９を通じて露出した状態になっている。これにより、ケース１４１に取り付けられたステー１５３を取り外さなくても、ケース１４１の内部からねじ１３１を締めたり緩めたりすることができる。したがって、内板金１６１と外板金１６０との締結や取り外しを容易に行うことができる。
【０１０５】
（６）外板金１６０の下端には挿通部１７８が設けられており、この挿通部１７８が筐体１０１に上方から差し込まれている。このため、ケース１４１に取り付けられた外板金１６０の下端が筐体１０１に下方から支持される。したがって、液体収容体１５０を格納した重たいケース１４１をより確実に筐体１０１に固定することができる。
【０１０６】
（７）第２の液体収容ユニット１９０のケース１９１には、ケース１９１の内面に取り付けられたステー１９５と重ならない部分に切り欠き孔２１２が形成されており、内板金１６１と外板金１９９とは、それぞれに形成されているねじ孔１６２，２０６が切り欠き孔２１２と重なるように配設されている。そして、外板金１９９側から各ねじ孔１６２，２０６に挿通されたねじ２２０によって内板金１６１と外板金１９９とが締結されている。このため、ケース１９１と筐体１０１とを締結しているねじ２２０の頭部はケース１９１に設けられた切り欠き孔２１２を通じて露出した状態になっている。これにより、ケース１９１に取り付けられたステー１９５を取り外さなくても、ケース１９１の内部からねじ２２０を締めたり緩めたりすることができる。したがって、内板金１６１と外板金１９９との締結や取り外しを容易に行うことができる。
【０１０７】
（８）外板金１９９の下端には挿通部２１０が設けられており、この挿通部２１０が筐体１０１に上方から差し込まれている。このため、ケース１９１に取り付けられた外板金１９９の下端が筐体１０１に下方から支持される。したがって、液体収容体を格納した重たいケース１９１をより確実に筐体１０１に固定することができる。
【０１０８】
（９）外板金１６０の上方板部１６７が下方板部１６８に対してプリンターの幅方向における外側に位置し、ケース１４１の外面に取り付けられている外板金１６０と筐体１０１の上部に設けられたスキャナー部１０８とは対向しているものの、その間には間隙が設けられている。このため、ケース１４１と外板金１６０とをねじによって締結しても、ねじの先端がスキャナー部１０８の壁面と干渉しにくくなる。したがって、スキャナー部１０８の壁面にねじの干渉を抑制する逃がし孔を設ける必要がなく、スキャナー部１０８の内部に埃が入り込むことを抑制できる。
【０１０９】
（第２の実施形態）
次に、記録装置をインクジェット式のプリンター（以下、プリンターという。）に具体化した第２の実施形態について図２７〜図３５を参照して説明する。なお、第２の実施形態では、第１の実施形態のプリンターよりも大判の用紙Ｐに対して記録を行うことができるように、記録ユニットが第１の実施形態よりも大型化されている。本実施形態では、第１の実施形態と相違する部分について主に説明するものとし、第１の実施形態と同一の構成については同一の符号を付して詳細な説明は省略する。
【０１１０】
本実施形態のプリンターでは、上記第１の実施形態のプリンターと同様に、記録ユニット１００の筐体１０１の右側面に第１の液体収容ユニット１４０が取り付けられ、筐体１０１の左側面に第２の液体収容ユニット１９０が取り付けられている。なお、記録ユニット１００の筐体１０１は、プリンターの土台となるベースフレーム１０９と、ベースフレーム１０９の上方に取り付けられて同ベースフレーム１０９に支持されたハウジングミドル３００とによって構成されている。
【０１１１】
図２７に示すように、第１の液体収容ユニット１４０が装着されるハウジングミドル３００の右側壁部３０１には、その下端から切り欠かれた凹部３０２が設けられている。この凹部３０２は、第１の液体収容ユニット１４０のケースに設けられたチューブ挿通孔１５６と対向する位置に設けられている。このため、チューブ挿通孔１５６を通じてケース１４１外に引き回されたインク供給チューブ１５４及び統合ケーブル１５９は、ハウジングミドル３００の凹部３０２を通じて筐体１０１の内部に導かれる。また、右側壁部３０１の下端には４つの切り欠き部３０３が形成されている。
【０１１２】
また、第１の実施形態のプリンターにおけるハウジングミドル１１０と同様に、ハウジングミドル３００の右側壁部３０１は、プリンターの高さ方向の下方ほど外側に位置するように、すなわちプリンターの高さ方向の下方ほどプリンターの幅方向における長さが長くなるようにプリンターの高さ方向に対して若干傾斜した形状で成形されている。しかし、ハウジングミドル３００では、ハウジングミドル１１０と異なり、右側壁部３０１はプリンターの奥行き方向において湾曲していない。
【０１１３】
こうした形状を有する右側壁部３０１には、取り付け孔１１６が形成されている。そして、これらの取り付け孔１１６には内板金１６１が圧入されている。なお、取り付け孔１１６は上方に２箇所、下方に２箇所の計４箇所に形成されている。
【０１１４】
上方に設けられている２つの取り付け孔１１６は、下方に設けられている各取り付け孔１１６とは異なる向きで設けられている。そのため、右側壁部３０１に取り付けられている内板金１６１のうち上方の取り付け孔１１６に圧入されている内板金１６１は、下方の取り付け孔１１６に圧入されている内板金１６１と長孔１６６の延びている向きが異なっている。より詳細には、上方の取り付け孔１１６に圧入された内板金１６１の長孔１６６は図２７の左右方向（筐体１０１の奥行き方向）に延びており、下方の取り付け孔１１６に圧入された内板金１６１の長孔１６６は図２７の上下方向（筐体１０１の高さ方向）に延びている。
【０１１５】
次に、図２８を参照して、右側壁部３０１に圧入されている内板金１６１と締結される第１の液体収容ユニット１４０の外板金３０４の構成について説明する。
図２８に示すように、外板金３０４は、プリンターの高さ方向の上方に位置する上方板部３０５と、下方に位置する下方板部３０６とを有している。上方板部３０５は下方板部３０６と段差を介して接続されており、上方板部３０５は下方板部３０６に対してプリンターの幅方向における外側に位置する。下方板部３０６には、ハウジングミドル３００の右側壁部３０１の下方に設けられた内板金１６１とねじによって締結される下方側締結部３０７が２箇所に設けられている。また、上方板部３０５には、ハウジングミドル３００の右側壁部３０１の上方に設けられた内板金１６１とねじによって締結される上方側締結部３０８が２箇所に設けられている。
【０１１６】
下方側締結部３０７は、下方板部３０６の基準面３０９に設けられており、円形のねじ孔３１０をそれぞれ有している。また、下方側締結部３０７の端部には、ハウジングミドル３００の右側壁部３０１の下方に設けられた内板金１６１の長孔１６６に対応してプリンターの高さ方向に延びた形状を有し、プリンターの幅方向における内側に突出した突出部３１１がそれぞれ設けられている。
【０１１７】
一方、上方板部３０５に設けられた上方側締結部３０８では、ねじ孔３１０が上方板部３０５の基準面３１２よりもプリンターの幅方向における内側に突出している。なお、それらの突出度合いは、下方板部３０６の基準面３０９と上方板部３０５の基準面３１２との段差と同じになっている。また、プリンターの奥行き方向において、手前側の上方側締結部３０８と奥側の上方側締結部３０８の突出度合いは、同じである。そのため、上方側締結部３０８に設けられたねじ孔３１０は、下方側締結部３０７のねじ孔３１０と、基準面３０９及び基準面３１２に垂直な方向である外板金１６０の厚さ方向における位置が揃えられている。また、上方側締結部３０８には、その上端に内板金１６１の長孔１６６に対応してプリンターの奥行き方向に延びた形状を有し、プリンターの幅方向における内側に突出した突出部３１３が設けられている。
【０１１８】
また、外板金３０４の上端部には、ケース１４１の内面にねじによってステー１５３を締結するときにケース１４１を貫通したねじと螺合する複数のボス部３１４が設けられている。また、外板金３０４の下方板部３０６の上端部には、プリンターの幅方向における外側に屈曲した複数のねじ止め部３１５が設けられている。一方、下方板部３０６の下端部には、下方板部３０６の基準面３０９からプリンターの幅方向における内側に屈曲してその先端が下方に延びる４つの挿通部３１６が設けられており、プリンターの奥行き方向の手前側の部分には、切り欠き３１７が形成されている。
【０１１９】
次に、図２９を参照して、外板金３０４と内板金１６１との締結方法の一例について説明する。
図２９に示すように、ハウジングミドル３００の下端がベースフレーム１０９によって支持されている状態で、まず、外板金３０４の下端に設けられた挿通部３１６をハウジングミドル３００の右側壁部３０１の下端に設けられた切り欠き部３０３にそれぞれ差し込む。これにより、外板金３０４の下端は筐体１０１によって下方から支持される。そして、各締結部３０７，３０８に設けられた突出部３１１，３１３を内板金１６１の長孔１６６に挿通する。右側壁部３０１の取り付け孔１１６に設けられた内側孔部１２１は内板金１６１の長孔１６６と重なっているため、こうして長孔１６６に挿入された突出部３１１，３１３は、内側孔部１２１にも挿入されてハウジングミドル１１０の右側壁部３０１を貫通する。
【０１２０】
右側壁部３０１の上方の取り付け孔１１６に圧入された内板金１６１の長孔１６６の延びる方向と、下方の取り付け孔１１６に圧入された内板金１６１の長孔１６６の延びる方向とは異なっている。このため、これらの長孔１６６に外板金３０４の突出部３１１，３１３を挿通することにより、内板金１６１、及び右側壁部３０１に対する外板金３０４の位置を、プリンターの高さ方向と奥行き方向の双方であわせることができる。そして、各締結部のねじ孔３１０、ハウジングミドル３００のねじ挿通孔１２５、及び内板金１６１のねじ孔１６２に外板金３０４側からねじを挿通して内板金１６１と外板金３０４とを締結する。こうして内板金１６１と外板金３０４とが締結されると、ハウジングミドル３００の右側壁部３０１は外板金３０４と内板金１６１とによって挟まれた状態となる。
【０１２１】
また、内板金１６１の先端は、右側壁部３０１の壁面よりも外側に突出している。外板金３０４には内板金１６１の先端と重なる部分に複数の孔部３１８が設けられている。このため、外板金３０４と内板金１６１とが締結された状態では、外板金３０４の孔部３１８から内板金１６１の先端が露出する。
【０１２２】
こうした状態において外板金３０４の下端に設けられた切り欠き３１７は、ハウジングミドル３００の右側壁部３０１の凹部３０２、すなわちケース１４１のチューブ挿通孔１５６と重なっている。このため、外板金３０４と内板金１６１とが締結されているときに、外板金３０４によって外板金３０４によってチューブ挿通孔１５６が覆われてしまうことはなく、インク供給チューブ１５４や統合ケーブル１５９を切り欠き３１７及びチューブ挿通孔１５６を通じて筐体１０１内に導入することができる。
【０１２３】
図３０に示すように、第１の液体収容ユニット１４０のケース１４１は、ケース１４１の内側から挿通された複数のねじによって外板金３０４と締結されている。また、ケース１４１の内面には複数のステー１５３が固定されている。ステー１５３の上端をケース１４１に固定しているねじ１２８は、ケース１４１を貫通して外板金３０４に設けられたボス部３１４と螺合している。このため、ステー１５３の上端部をケース１４１に固定しているねじ１２８は、ケース１４１とステー１５３とを固定するだけでなく、ケース１４１と外板金３０４とを固定している。
【０１２４】
また、ケース１４１には、ステー１５３の下端部と対向する部分に孔があけられており、この部分から外板金３０４のねじ止め部３１５が露出している。ステー１５３の下端部はこのねじ止め部３１５にねじによって締結されている。
【０１２５】
また、ケース１４１の側壁形成部材１４３には、ステー１５３と重ならない部分に切り欠き孔１２９が形成されている。外板金３０４及び内板金１６１は、それぞれに形成されているねじ孔３１０，１６２が切り欠き孔１２９と重なるように配設され、外板金３０４側から各ねじ孔３１０，１６２に挿通されたねじ１３１によって外板金３０４と内板金１６１とが締結されている。このため、ケース１４１と筐体１０１とを締結しているねじ１３１の頭部はケース１４１に設けられた切り欠き孔１２９を通じて露出した状態になっている。
【０１２６】
こうした構成を備える第１の液体収容ユニット１４０では、ケース１４１に取り付けられたステー１５３を取り外さなくても、外板金３０４と内板金１６１とを締結するねじ１３１をケース１４１の内部から締めたり緩めたりすることができる。このため、外板金３０４と内板金１６１との締結を解除するだけで、ケース１４１の外面に外板金３０４を固定したままケース１４１を筐体１０１から取り外すことができる。
【０１２７】
次に、図３１を参照して、筐体１０１とケース１４１との固定部の断面構造について説明する。なお、図３１は図３０において上方側締結部３０８及び下方側締結部３０７を結ぶ線に沿った断面構造を模式的に示した図である。
【０１２８】
図３１に示すように、ハウジングミドル３００の右側壁部３０１は、プリンターの高さ方向に対して下方ほど外側に位置するように、プリンターの高さ方向に対して傾斜角度θ２で傾斜している。そして、右側壁部３０１には筐体１０１の内側から内板金１６１が取り付けられている。すなわち、ハウジングミドル３００の内面には内板金１６１が取り付けられている。
【０１２９】
また、外板金３０４における下方側締結部３０７が下方板部３０６の基準面３０９に設けられているため、外板金３０４の下方板部３０６は、ハウジングミドル３００の外面に当接しているとともに、ケース１４１の外面から離間した状態でねじ１３１によって締結されている。下方板部３０６に接続されている上方板部３０５は、下方板部３０６よりもプリンターの幅方向外側に位置している。このため、上方板部３０５はハウジングミドル３００の外面から離間しているとともに、ケース１４１の外面に当接している。上方側締結部３０８は、上方板部３０５からハウジングミドル３００側に突出しており、そのねじ孔３１０がハウジングミドル３００の外面と当接した状態で内板金１６１とねじ１３１によって締結されている。上述したように、基準面３１２からの上方側締結部３０８の突出度合いは、基準面３１２と基準面３０９との段差と同じになっており、上方側締結部３０８に設けられたねじ孔３１０は、下方側締結部３０７に設けられたねじ孔３１０と外板金３０４の厚さ方向における位置が揃えられている。そのため、ケース１４１の外面から上方側締結部３０８及び下方側締結部３０７までの距離は等しい。したがって、第１の液体収容ユニット１４０のケース１４１は、傾斜している筐体１０１の右側面に沿うように、プリンターの高さ方向に対して傾斜角度θ２と等しい角度で傾斜した状態で筐体１０１に装着されている。
【０１３０】
また、プリンターの奥行き方向において、手前側に設けられた上方側締結部３０８と奥側に設けられた上方側締結部３０８との各ねじ孔３１０は、外板金３０４の厚さ方向における位置が揃えられている。また、プリンターの奥行き方向において、手前側に設けられた下方側締結部３０７と奥側に設けられた下方側締結部３０７との各ねじ孔３１０は、外板金３０４の厚さ方向における位置が揃えられている。このため、第１の液体収容ユニット１４０のケース１４１は、プリンターの奥行き方向において、筐体１０１の右側壁部３０１に沿うように装着されている。したがって、ケース１４１は、上記第１の実施形態とは異なり、プリンターの奥行き方向において筐体１０１に対して傾斜せずに装着されている。
【０１３１】
また、図３２に示すように、ハウジングミドル３００の壁面において、ケース１４１と外板金３０４とを固定するねじと対向する部分には、逃がし孔１３０が設けられている。これにより、ケース１４１の内側から外板金３０４とケース１４１とをねじによって締結するときに外板金３０４を貫通したねじが筐体１０１の壁面と干渉しないようになっている。
【０１３２】
次に、筐体１０１の左側面に取り付けられている第２の液体収容ユニット１９０について説明する。
図３３に示すように、ハウジングミドル３００の左側壁部３１９には、プリンターの奥行き方向の手前側から切り欠かれた凹部３２０が設けられている。この凹部３２０は、第２の液体収容ユニット１９０のケース１９１に設けられたチューブ挿通孔１９８と対向する位置に設けられている。このため、チューブ挿通孔１９８を通じてケース１９１外に引き回されたインク供給チューブ１９６及び個別ケーブルは、ハウジングミドル３００の左側壁部３１９に設けられた凹部３２０を通じて筐体１０１の内部に導かれる。また、左側壁部３１９には、下端から切り欠かれた２つの切り欠き部３２１が形成されている。
【０１３３】
また、第１の実施形態のプリンターにおけるハウジングミドル１１０と同様に、ハウジングミドル３００の左側壁部３１９は、プリンターの高さ方向の下方ほど外側に位置するように、すなわちプリンターの高さ方向の下方ほどプリンターの幅方向における長さが長くなるようにプリンターの高さ方向に対して若干傾斜した形状で成形されている。しかし、ハウジングミドル３００では、ハウジングミドル１１０と異なり、左側壁部３１９はプリンターの奥行き方向において湾曲していない。
【０１３４】
こうした形状を有する左側壁部３１９には、右側壁部３０１に設けられた取り付け孔１１６と同じ形状の取り付け孔２０２が設けられている。そして、これらの取り付け孔２０２には、内板金１６１が圧入されている。なお、取り付け孔２０２は上方に２箇所、下方に２箇所の計４箇所に設けられている。また、略円形状のねじ挿通孔２０３も同様に設けられている。
【０１３５】
上方に設けられている２つの取り付け孔２０２は、下方に設けられている各取り付け孔２０２とは異なる向きで設けられている。そのため、左側壁部３１９に取り付けられている内板金１６１のうち上方の取り付け孔２０２に圧入されている内板金１６１は、下方の取り付け孔２０２に圧入されている内板金１６１と長孔１６６の延びている向きが異なっている。より詳細には、上方の取り付け孔２０２に圧入された内板金１６１の長孔１６６は図３３の左右方向（筐体１０１の奥行き方向）に延びており、下方の取り付け孔２０２に圧入された内板金１６１の長孔１６６は図３３の上下方向（筐体１０１の高さ方向）に延びている。
【０１３６】
そして、図３４に示すように、ハウジングミドル３００の左側壁部３１９に圧入された内板金１６１には、第１の実施形態と同様の構成の外板金１９９が締結されている。
図３４に示すように、ハウジングミドル３００の下端がベースフレーム１０９によって支持されている状態で、外板金１９９の下端に設けられた２つの挿通部２１０がハウジングミドル３００の左側壁部３１９の下端に設けられた切り欠き部３２１にそれぞれ差し込まれている。これにより、外板金１９９の下端は筐体１０１によって下方から支持されている。また、外板金１９９の各締結部２０５に設けられた突出部２０７が内板金１６１の長孔１６６に挿通されている。左側壁部３１９の取り付け孔２０２に設けられた内側孔部１２１は内板金１６１の長孔１６６と重なっているため、こうして長孔１６６に挿入された突出部２０７は、内側孔部１２１にも挿入されてハウジングミドル３００の左側壁部３１９を貫通している。
【０１３７】
また、内板金１６１と外板金１９９とが締結された状態では、外板金１９９が左側壁部３１９の凹部３２０にまで達していない。このため、外板金１９９によって凹部３２０が覆われてしまうことはなく、インク供給チューブ１９６や個別ケーブルを筐体１０１内に導入する際に、外板金１９９が邪魔になることはない。
【０１３８】
図３５に示すように、第２の液体収容ユニット１９０のケース１９１はケース１９１の内側から挿通された複数のねじによって外板金１９９と締結されている。また、ケース１９１の内面にはステー１９５が固定されている。ステー１９５の上端をケース１９１に固定しているねじ２２０は、ケース１９１を貫通して外板金１９９に設けられたボス部２０８と螺合している。このため、ステー１９５の上端部をケース１９１に固定しているねじ２２０は、ケース１９１とステー１９５とを固定するだけでなく、ケース１９１と外板金１９９とを固定している。
【０１３９】
また、ケース１９１には、ステー１９５の下端部と対向する部分に孔があけられており、この部分から外板金１９９のねじ止め部２０９が露出している。ステー１９５の下端部はこのねじ止め部２０９にねじによって締結されている。
【０１４０】
ケース１９１の側壁形成部材１９３には、ステー１９５と重ならない部分に切り欠き孔２１２が形成されている。外板金１９９及び内板金１６１は、それぞれに形成されているねじ孔２０６，１６２が切り欠き孔２１２と重なるように配設され、外板金１９９側から各ねじ孔２０６，１６２に挿通されたねじ２２１によって外板金１９９と内板金１６１とが締結されている。このため、ケース１９１と筐体１０１とを締結しているねじ２２１の頭部はケース１９１に設けられた切り欠き孔２１２を通じて露出した状態になっている。
【０１４１】
以上説明した第２の実施形態によれば、上記（１）、（２）及び（４）〜（８）と同様の作用効果を得ることができる。
（その他の実施形態）
なお、上記各実施形態は以下のように変更してもよい。
【０１４２】
・上記第１の実施形態では、筐体１０１のスキャナー部１０８と外板金１６０との間に間隙を設けるようにしたが、スキャナー部１０８の壁面に外板金１６０を当接させて隙間を設けないようにしてもよい。こうした構成によっても上記（１）〜（８）の効果を得ることはできる。
【０１４３】
・上記実施形態において、第１の液体収容ユニット１４０の外板金１６０，３０４の下端に設けられた挿通部１７８，３１６の数を適宜変更してもよい。また、第２の液体収容ユニット１９０の外板金１９９の下端に設けられた挿通部２１０の数を適宜変更してもよい。
【０１４４】
・上記実施形態では、第２の液体収容ユニット１９０の外板金１９９の下端に挿通部２１０を設けて、この挿通部２１０を筐体１０１に上方から差し込むようにしたが、挿通部２１０は必ずしも設ける必要はない。挿通部２１０を設けなかったとしても上記（１）〜（７）の効果を得ることはできる。
【０１４５】
・上記実施形態では、第２の液体収容ユニット１９０のケース１９１の内面に取り付けられたステー１９５と重ならない部分に切り欠き孔２１２を形成し、内板金１６１と外板金１９９とが、それぞれに形成されているねじ孔１６２，２０６が切り欠き孔２１２と重なるように配設するようにした。こうした構成に代えて、切り欠き孔２１２とねじ孔１６２，２０６とが重ならない位置に内板金１６１及び外板金１９９を配設するようにしてもよい。また、切り欠き孔２１２を省略するようにしてもよい。こうした構成によっても上記（１）〜（６）の効果を得ることはできる。
【０１４６】
・上記実施形態では、第１の液体収容ユニット１４０の外板金１６０，３０４の下端に挿通部１７８，３１６を設けて、この挿通部１７８，３１６を筐体１０１に上方から差し込むようにしたが、挿通部１７８，３１６は必ずしも設ける必要はない。挿通部１７８，３１６を設けなかったとしても上記（１）〜（５）の効果を得ることはできる。
【０１４７】
・上記第１の実施形態では、第１の液体収容ユニット１４０のケース１４１の内面に取り付けられたステー１５３と重ならない部分に切り欠き孔１２９を形成し、内板金１６１と外板金１６０とが、それぞれに形成されているねじ孔１６２，１７２が切り欠き孔１２９と重なるように配設した。こうした構成に代えて、切り欠き孔１２９とねじ孔１６２，１７２とが重ならない位置に内板金１６１及び外板金１６０を配設するようにしてもよい。また、切り欠き孔１２９を省略するようにしてもよい。こうした構成によっても上記（１）〜（４）の効果を得ることはできる。
【０１４８】
・上記第２の実施形態では、第１の液体収容ユニット１４０のケース１４１の内面に取り付けられたステー１５３と重ならない部分に切り欠き孔１２９を形成し、内板金１６１と外板金３０４とが、それぞれに形成されているねじ孔１６２，３１０が切り欠き孔１２９と重なるように配設にした。こうした構成に代えて、切り欠き孔１２９とねじ孔１６２，３１０とが重ならない位置に内板金１６１及び外板金３０４を配設するようにしてもよい。また、切り欠き孔１２９を省略するようにしてもよい。こうした構成によっても上記（１）、（２）、及び（４）の効果を得ることはできる。
【０１４９】
・上記実施形態では、ハウジングミドル１１０，３００の右側壁部１１１，３０１に内板金１６１が圧入される取り付け孔１１６を４つ備える構成を例示したが、取り付け孔１１６の数は適宜変更可能である。なお、取り付け孔１１６を２つ以上備える場合には、そのうちの少なくとも一つを他の内板金１６１と長孔１６６の延びている向きが異なるように取り付けることが望ましい。
【０１５０】
・上記実施形態では、ハウジングミドル１１０，３００の左側壁部１１２，３１９に内板金１６１が圧入される取り付け孔２０２を４つ備える構成を例示したが、取り付け孔２０２の数は適宜変更可能である。なお、取り付け孔２０２を２つ以上備える場合には、そのうちの少なくとも一つを他の内板金１６１と長孔１６６の延びている向きが異なるように取り付けることが望ましい。
【０１５１】
・上記第２の実施形態では、筐体１０１の側面の上方の取り付け孔１１６，２０２に圧入された内板金１６１を、下方の取り付け孔１１６，２０２に圧入された内板金１６１と長孔１６６の延びる方向が異なるように取り付けるようにしていた。これに対して、上方の取り付け孔１１６，２０２に圧入されている内板金１６１を、下方の取り付け孔１１６，２０２に圧入された内板金１６１と長孔１６６の延びる方向が同じになるように取り付けるようにしてもよい。こうした構成によっても上記（１）及び（２）の効果を得ることはできる。
【０１５２】
・上記１の実施形態では、筐体１０１の左側面の上方の取り付け孔２０２に圧入された内板金１６１を、下方の取り付け孔２０２に圧入された内板金１６１と長孔１６６の延びる方向が異なるように取り付けるようにしていた。これに対して、上方の取り付け孔２０２に圧入されている内板金１６１を、下方の取り付け孔２０２に圧入された内板金１６１と長孔１６６の延びる方向が同じになるように取り付けるようにしてもよい。こうした構成によっても上記（１）〜（３）の効果を得ることはできる。
【０１５３】
・上記１の実施形態では、筐体１０１の右側面の上方の取り付け孔１１６に圧入された内板金１６１の長孔１６６の延びる方向と、下方の取り付け孔１１６の間に設けられた縦孔１２６の延びる方向とが異なるように内板金１６１を筐体１０１に取り付けるようにしていた。これに対して、上方の取り付け孔１１６に圧入されている内板金１６１の長孔１６６の延びる方向と縦孔１２６の延びる方向とが同じになるように内板金１６１を取り付けるようにしてもよい。こうした構成によっても上記（１）及び（２）の効果を得ることはできる。
【０１５４】
・上記実施形態では、内板金１６１を、樹脂製の筐体１０１の壁面に設けられた取り付け孔１１６，２０２に圧入するようにしていたが、圧入以外の方法で固定するようにしてもよい。例えば、内板金１６１を筐体１０１の外面に接着させる等の方法によって固定するようにしてもよい。こうした構成によっても上記（１）の効果を得ることはできる。
【０１５５】
・上記実施形態では、外板金側からねじを挿通して内板金１６１と外板金とを締結するようにしていたが、内板金１６１側からねじを挿通して内板金１６１と外板金とを締結するようにしてもよい。
【０１５６】
・上記実施形態では、筐体１０１の内面に内板金１６１を取り付けて、ケース１４１の外面に外板金を取り付けるようにしていたが、筐体１０１の外面に内板金１６１を取り付けたり、ケース１４１の内面に外板金を取り付けたりしてもよい。
【０１５７】
・上記実施形態では、筐体１０１の両側面に液体収容ユニット１４０，１９０を装着する構成を示したが、液体収容ユニット１４０，１９０のいずれか一方のみを備えるようにしてもよい。
【０１５８】
・上記実施形態では、操作パネル１０４の表記が向けられている方向と、排出口１０５が設けられている方向とが同じである記録装置を例に説明したが、これらの方向が異なっていてもよい。
【０１５９】
・上記実施形態では、操作パネル１０４の表記が向けられている方向をプリンター及び筐体１０１の正面としたが、操作パネル１０４が設けられている側をプリンター及び筐体１０１の正面としてもよい。
【０１６０】
・上記実施形態では、筐体１０１の差し込み口２１５に電源コード２１４を接続している例を説明したが、差し込み口２１５に、ＵＳＢケーブル、ＬＡＮケーブル、メモリカード等を接続するようにしてもよい。
【０１６１】
・上記実施形態では、第１の液体収容ユニット１４０に取り付けられている外板金１６０の上端にスポンジ２１９を取り付けて筐体１０１とケース１４１との隙間を塞ぐようにしたが、例えば、外板金１６０の前端にスポンジ２１９を取り付ける等、スポンジ２１９を外板金１６０の他の部分に取り付けるようにしてもよい。
【０１６２】
・上記実施形態では、外板金１６０の上端にスポンジ２１９を取り付けて筐体１０１とケース１４１との隙間を塞ぐようにしたが、第２の液体収容ユニット１９０に取り付けられている外板金１９９にスポンジ２１９を取り付けるようにしてもよい。こうした構成によれば、更に筐体１０１とケース１９１との隙間を塞ぐことができる。
【０１６３】
・上記実施形態では、第１の液体収容ユニット１４０と筐体１０１との間に封止部材としてスポンジを挟んだ例を示したが、ゴムなどの他の部材を封止部材として挟むようにしてもよい。また、こうした封止部材は必ずしも設けなくてもよい。
【０１６４】
・上記第２の実施形態では、第１の液体収容ユニット１４０を、プリンターの奥行き方向に対して傾斜させずに筐体１０１の右側面に装着させていたが、第１の液体収容ユニット１４０をプリンターの奥行き方向に対して傾斜させて装着させるようにしてもよい。すなわち、第１の液体収容ユニット１４０のケース１４１における筐体１０１と対向する外面がプリンターの奥行き方向における手前側ほどプリンターの幅方向における内側に位置するように、プリンターの奥行き方向に対して傾斜した状態で第１の液体収容ユニット１４０を筐体１０１に装着するようにしてもよい。なお、こうした構成は、外板金３０４の締結部３０７，３０８における外板金３０４に対する突出度合いを、プリンターの奥行き方向において変えることで実現することができる。
【０１６５】
・上記実施形態では、第２の液体収容ユニット１９０を、プリンターの奥行き方向に対して傾斜させずに筐体１０１の左側面に装着させていたが、第２の液体収容ユニット１９０をプリンターの奥行き方向に対して傾斜させて装着させるようにしてもよい。すなわち、第２の液体収容ユニット１９０のケース１９１における筐体１０１と対向する外面がプリンターの奥行き方向における手前側ほどプリンターの幅方向における内側に位置するように、プリンターの奥行き方向に対して傾斜した状態で第２の液体収容ユニット１９０を筐体１０１に装着するようにしてもよい。
【０１６６】
・上記第１の実施形態では、筐体１０１の両側面を、プリンターの奥行き方向において、手前側及び奥行き側ほどプリンターの幅方向における長さが短くなるように、すなわち中央部分がプリンターの幅方向において外側に突出するように若干湾曲した形状で成形していた。こうした構成に代えて、筐体１０１の両側面の少なくとも一方を湾曲させずに成形するようにしてもよい。
【０１６７】
・上記実施形態では、第２の液体収容ユニット１９０のケース１９１を、左側壁部１１２，３１９に沿うようにプリンターの高さ方向に対して傾斜した状態で筐体１０１に装着していた。こうした構成に代えて、ケース１９１を、プリンターの高さ方向に対して傾斜させずに筐体１０１に装着するようにしてもよい。
【０１６８】
・上記実施形態では、第１の液体収容ユニット１４０のケース１４１を、右側壁部１１１，３０１に沿うようにプリンターの高さ方向に対して傾斜した状態で筐体１０１に装着していた。こうした構成に代えて、ケース１４１を、プリンターの高さ方向に対して傾斜させずに筐体１０１に装着するようにしてもよい。
【０１６９】
・上記実施形態では、筐体１０１の両側面がプリンターの高さ方向に対して傾斜した形状で成形されている例を説明したが、筐体１０１のいずれか一方の側面がプリンターの高さ方向に対して傾斜していなくてもよい。また、筐体１０１の両側面がプリンターの高さ方向に対して傾斜していなくてもよい。
【０１７０】
・上記実施形態では、第１の液体収容ユニット１４０及び第２の液体収容ユニット１９０の両方がプリンターの奥行き方向において筐体１０１の最も手前側の部分よりも奥側に位置するようにしていたが、いずれか一方のみが奥側に位置するようにしてもよい。また、第１の液体収容ユニット１４０及び第２の液体収容ユニット１９０の両方がプリンターの奥行き方向において筐体１０１の最も手前側の部分よりも手前側に突出していてもよい。
【０１７１】
・上記実施形態では、略直方体状のケース１４１，１９１を備える例を説明したが、図３６に示すように湾曲した形状のケース１４１０を備えるようにしてもよい。なお、こうした場合には、図３６に示すように、筐体１０１の湾曲した側面よりもケース１４１０を湾曲させるようにしてもよい。
【０１７２】
・上記実施形態では、プリンターの奥行き方向において、第２の液体収容ユニット１９０が差し込み口２１５よりも奥側に位置しないように、同液体収容ユニット１９０を筐体１０１の左側面に装着するようにしていたが、第２の液体収容ユニット１９０を差し込み口２１５よりも奥側に位置するように装着してもよい。
【０１７３】
・上記実施形態では、プリンターの背面の左側面側の端部に差し込み口２１５を設けるようにしたが、差し込み口２１５の配設位置はこれに限られず、例えば、プリンターの背面の右側面側の端部に設けるようにしてもよい。なお、プリンターの背面の右側面側の端部に差し込み口２１５設けた場合には、プリンターの奥行き方向において、第１の液体収容ユニット１４０を、差し込み口２１５よりも奥側に位置しないように筐体１０１に装着させることが望ましい。
【０１７４】
・上記実施形態では、プリンターの幅がプリンターの奥行き方向における奥側ほど大きくなっている例を示したが、こうした構成を必ずしも備える必要はない。
・上記実施形態において、記録装置は、インク以外の他の液体を噴射したり吐出したりして記録を行う液体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。
【０１７５】
ケース１４１に取り付けられた外板金１６０および筐体１０１に取り付けられた内板金１６１をねじ１３１によって締結する構造に限らず、筐体１０１およびケース１４１のいずれか一方の樹脂により形成された壁面に板金を設けて、この板金を介して、ケース１４１を筐体１０１に装着するようにケース１４１と筐体１０１とを締結してもよい。
【符号の説明】
【０１７６】
１００…記録ユニット、１０１…筐体、１０２…液体噴射ヘッド（記録部）、１０３…キャリッジ、１０４…操作パネル、１０５…排出口、１０６…排紙トレイ、１０７…給紙カセット、１０８…スキャナー部、１０９…ベースフレーム、１１０…ハウジングミドル、１１１…右側壁部、１１２…左側壁部、１１３…天井部、１１４…凹部、１１５Ａ，１１５Ｂ…切り欠き部、１１６…取り付け孔、１１６Ａ…取り付け孔、１１７…第１の取り付け孔、１１８…第２の取り付け孔、１１９…上方孔部、１２０…下方孔部、１２１…内側孔部、１２２…取付孔部、１２３…外側孔部、１２４…段差、１２５…ねじ挿通孔、１２６…縦孔、１２７…支持孔、１２８…ねじ、１２９…切り欠き孔、１３０…逃がし孔、１３１…ねじ、１４０…第１の液体収容ユニット、１４１…ケース、１４２…底形成部材、１４３…側壁形成部材、１４４…蓋体、１５０…液体収容体、１５０Ａ…第１の液体収容体、１５０Ｂ…第２の液体収容体、１５０Ｃ…第３の液体収容体、１５１…インクバッグ、１５２…取手部、１５３…ステー、１５４…インク供給チューブ、１５５…クランプ、１５６…チューブ挿通孔、１５７…個別ケーブル、１５８…中継基板、１５９…統合ケーブル、１６０…外板金（第２の板金部材）、１６１…内板金（第１の板金部材）、１６２…ねじ孔、１６３…天板部、１６３Ａ…幅狭部、１６３Ｂ…幅広部、１６４…第１の保持部、１６５…第２の保持部、１６６…長孔、１６７…上方板部、１６８…下方板部、１６９…締結部、１６９Ａ…第１の締結部、１６９Ｂ…第２の締結部、１７０…締結部、１７０Ａ…第３の締結部、１７０Ｂ…第４の締結部、１７１…基準面、１７２…ねじ孔、１７３…基準面、１７４，１７５…突出部、１７６…ボス部、１７７…ねじ止め部、１７８…挿通部、１７９…切り欠き、１８０…孔部、１９０…第２の液体収容ユニット、１９１…ケース、１９２…底形成部材、１９３…側壁形成部材、１９４…蓋体、１９５…ステー、１９６…インク供給チューブ、１９７…クランプ、１９８…チューブ挿通孔、１９９…外板金（第２の板金部材）、２００…凹部、２０１Ａ，２０１Ｂ…切り欠き部、２０２…取り付け孔、２０３…ねじ挿通孔、２０４…カバー部材、２０５…締結部、２０６…ねじ孔、２０７…突出部、２０８…ボス部、２０９…ねじ止め部、２１０…挿通部、２１１…孔部、２１２…切り欠き孔、２１３…逃がし孔、２１４…電源コード、２１５…差し込み口、２１６…載置トレイ、２１７…紙送り部、２１８…化粧板、２１９…スポンジ、２２０…ねじ、２２１…ねじ、３００…ハウジングミドル、３０１…右側壁部、３０２…凹部、３０３…切り欠き部、３０４…外板金（第２の板金部材）、３０５…上方板部、３０６…下方板部、３０７…下方側締結部、３０８…上方側締結部、３０９…基準面、３１０…ねじ孔、３１１…突出部、３１２…基準面、３１３…突出部、３１４…ボス部、３１５…ねじ止め部、３１６…挿通部、３１７…切り欠き、３１８…孔部、３１９…左側壁部、３２０…凹部、３２１…切り欠き部、３２２…ねじ、１４１０…ケース。
【図１】
2015136915.tif 000003
【図２】
2015136915.tif 000004
【図３】
2015136915.tif 000005
【図４】
2015136915.tif 000006
【図５】
2015136915.tif 000007
【図６】
2015136915.tif 000008
【図７】
2015136915.tif 000009
【図８】
2015136915.tif 000010
【図９】
2015136915.tif 000011
【図１０】
2015136915.tif 000012
【図１１】
2015136915.tif 000013
【図１２】
2015136915.tif 000014
【図１３】
2015136915.tif 000015
【図１４】
2015136915.tif 000016
【図１５】
2015136915.tif 000017
【図１６】
2015136915.tif 000018
【図１７】
2015136915.tif 000019
【図１８】
2015136915.tif 000020
【図１９】
2015136915.tif 000021
【図２０】
2015136915.tif 000022
【図２１】
2015136915.tif 000023
【図２２】
2015136915.tif 000024
【図２３】
2015136915.tif 000025
【図２４】
2015136915.tif 000026
【図２５】
2015136915.tif 000027
【図２６】
2015136915.tif 000028
【図２７】
2015136915.tif 000029
【図２８】
2015136915.tif 000030
【図２９】
2015136915.tif 000031
【図３０】
2015136915.tif 000032
【図３１】
2015136915.tif 000033
【図３２】
2015136915.tif 000034
【図３３】
2015136915.tif 000035
【図３４】
2015136915.tif 000036
【図３５】
2015136915.tif 000037
【図３６】
2015136915.tif 000038
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
（削除）
【請求項２】
液体を噴射して記録媒体に記録を行う記録部と、
前記記録部が収容されている筐体と、
前記記録部に供給される液体が収容されている液体収容体と、
前記液体収容体を格納するケースと、を備え、
前記筐体の樹脂で形成された壁面に第１の金属部材が取り付けられている一方で、前記ケースの樹脂で形成された壁面に第２の金属部材が取り付けられており、
前記ケースには、開口が形成されており、
前記第１の金属部材及び前記第２の金属部材は、それぞれに形成されているねじ孔が前記開口と重なるように配設されており、前記第２の金属部材側から各ねじ孔に挿通されたねじによって前記第１の金属部材と前記第２の金属部材とが締結されている
ことを特徴とする記録装置。
【請求項３】
前記第１の金属部材は前記筐体の内面に取り付けられ、前記第２の金属部材は前記ケースの外面に取り付けられている
請求項２に記載の記録装置。
【請求項４】
前記第１の金属部材は、前記筐体の樹脂で形成された壁面に設けられた取り付け孔に圧入されている
請求項２または３に記載の記録装置。
【請求項５】
前記第１の金属部材には縦方向の長さと横方向の長さが異なる長孔が形成されている一方で、前記第２の金属部材には前記長孔に対応した形状を有し前記長孔に挿通される複数の突出部が形成されており、
前記筐体に複数取り付けられている前記第１の金属部材のうちの少なくとも一つは他の第１の金属部材と前記長孔の延びている向きが異なるように他の第１の金属部材と異なる向きに取り付けられており、
前記筐体に複数取り付けられた第１の金属部材の長孔に、第２の金属部材に設けられた複数の突出部がそれぞれ挿通されている
請求項２〜４のいずれか一項に記載の記録装置。
【請求項６】
前記ケースの内面には、前記液体収容体を着脱可能な液体収容体保持部が取り付けられており、
前記開口は、前記液体保持部と重ならない位置に形成されている
請求項２〜５のいずれか一項に記載の記録装置。
【請求項７】
前記第２の金属部材は前記ケースの外面に取り付けられており、同第２の金属部材の下端の少なくとも一部は、前記筐体に上方から差し込まれて前記筐体により下方から支持されている
請求項２〜６のいずれか一項に記載の記録装置。
【請求項８】
前記筐体にはスキャナーが収容されたスキャナー部が設けられており、
前記ケースの外面に取り付けられている前記第２の金属部材と前記スキャナー部とは対向しているものの、その間には間隙が設けられている
請求項２〜７のいずれか一項に記載の記録装置。
【請求項９】
前記第１の金属部材と前記第２の金属部材とが締結されることにより、前記筐体および前記ケースの少なくとも一方が挟まれた状態で前記ケースは前記筐体に装着されている
請求項２〜８に記載の記録装置。
【請求項１０】
前記第２の金属部材は、上部側金属部材と下部側金属部材で構成されている
請求項２〜９に記載の記録装置。
【国際調査報告】
2015136915.tif 000039
2015136915.tif 000040
2015136915.tif 000041
2015136915.tif 000042